(57)【要約】多層記録型の情報記録媒体において、ＣＬＶ方式を採用しつつ高精度のトラッキングサーボを行うと共に、情報の記録密度を高めつつ、例えば高精度のチルト検出などの特定種類の処理を施行する。ＣＬＶ方式の情報記録媒体（１１）は、予めトラック（ＴＲ）が形成されたガイド層（１２）と、該ガイド層上に積層された複数の記録層（１３）とを備える。トラックには、ガイド用のガイド情報を担持する物理構造を夫々有する複数のガイド領域（２２）が、トラック方向に予め設定された所定距離以下の配置間隔にて離散的に、且つ径方向に相隣接する複数のトラックに渡って該複数のトラック間でずらされて、配置されている。おり、更に、径方向に相隣接する複数のトラック部分のうち少なくとも径方向の中央寄りに位置するセンタートラック部分にて特定種類のパターン信号が検出可能なように、複数のトラック部分に跨る一まとまりの所定パターン（２３ａ）を夫々有する複数の信号検出用領域（２３）が、配置されている。
2011125160.tif 000002
【特許請求の範囲】
【請求項１】
ＣＬＶ方式の情報記録媒体であって、
予めトラックが形成されたガイド層と、
該ガイド層上に積層された複数の記録層と
を備え、
前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、更に(ii)前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されている
ことを特徴とする情報記録媒体。
【請求項２】
前記複数のガイド領域のうち少なくとも、前記トラック方向における前記センタートラック部分の前に配置された一のガイド領域に係るガイド情報が、前記複数の信号検出用領域のうち対応する一つが後に来る旨を示す目印情報としても機能するように構成されていることを特徴とする請求項１に記載の情報記録媒体。
【請求項３】
前記トラックは、当該情報記録媒体における内周から外周又は外周から内周に向って螺旋状に形成されており、
前記目印領域は、前記トラック方向における前記センタートラック部分の直前に配置されており、前記複数の信号検出用領域のうち対応する一つが直後に来る旨を示す
ことを特徴とする請求項１に記載の情報記録媒体。
【請求項４】
前記物理構造は、前記ガイド情報の前記トラック方向の長さと、前記複数の記録層に夫々記録されるデータの最小構成単位の前記トラック方向の長さとが、所定の整数比となるように、前記ガイド情報を担持し、
前記所定パターンは、前記パターン信号の最小構成単位の前記トラック方向の長さと、前記最小構成単位の前記トラック方向の長さとが、所定の整数比となるように、規定されている
ことを特徴とする請求項１に記載の情報記録媒体。
【請求項５】
前記複数のガイド領域は、前記トラック方向に、相互に長さの等しいスロットとして夫々構成され、
前記ガイド情報は、前記径方向に前記複数のトラック間で相隣接しないように前記スロットの夫々内に配置されている
ことを特徴とする請求項１に記載の情報記録媒体。
【請求項６】
前記複数の信号検出用領域は、前記スロットと長さの等しい他のスロットとして夫々構成され、
前記所定パターンは、前記径方向に前記複数のトラック間で相隣接しないように且つ前記複数のガイド領域とも相互に重ならないように、前記スロットの夫々内に配置されていることを特徴とする請求項５に記載の情報記録媒体。
【請求項７】
前記物理構造は、前記スロットの前記トラック方向の長さと、前記複数の記録層に夫々記録されることになるデータのフォーマットの構成単位の前記トラック方向の長さとが、所定の整数比となるように、前記ガイド情報を担持し、
前記所定パターンは、前記他のスロットの前記トラック方向の長さと、前記複数の記録層に夫々記録されることになるデータのフォーマットの構成単位の前記トラック方向の長さとが、所定の整数比となるように構成されている
ことを特徴とする請求項６に記載の情報記録媒体。
【請求項８】
前記複数のガイド領域と前記複数の信号検出領域とは、相互に異なる配置規則で混在して配置されていることを特徴とする請求項１に記載の情報記録媒体。
【請求項９】
前記複数のガイド領域と前記複数の信号検出領域とは、前記径方向に相隣接しないように、相互間に緩衝領域を介在する形で離間されていることを特徴とする請求項１に記載の情報記録媒体。
【請求項１０】
前記物理構造は、ウォブル及びプリピット構造、並びにウォブル及び一部切欠き構造のうち少なくとも一方を含むことを特徴とする請求項１に記載の情報記録媒体。
【請求項１１】
前記トラックは、トラッキングサーボ用のガイドトラックであり、
前記物理構造は、前記ガイド情報の少なくとも一部を構成する前記トラッキングサーボ用の信号を、発生可能であり、
前記複数のガイド領域は夫々、前記トラッキングサーボ用の信号を発生するためのサーボ用領域であり、
前記所定距離は、前記トラッキングサーボが所定の帯域で動作可能な距離に予め設定されており、
前記複数のサーボ用領域は、前記トラッキングサーボ用の光ビームの径に基づいて、前記光ビームが同時に照射されないように前記複数のトラック間でずらされて、配置されている
ことを特徴とする請求項１に記載の情報記録媒体。
【請求項１２】
前記所定パターンは、前記パターン信号として、チルト検出用のチルト検出信号を検出可能なように構成されていることを特徴とする請求項１から１１のいずれか一項に記載の情報記録媒体。
【請求項１３】
ＣＬＶ方式の情報記録媒体であって、予めトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、更に(ii)前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されている情報記録媒体に、データを記録する情報記録装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出手段と、
前記取得されたガイド情報に基づき前記トラックに対して所定の帯域でトラッキングサーボをかけるように前記光照射手段を制御するトラッキングサーボ手段と、
前記検出されたパターン信号に基づいて前記光照射手段について特定種類の処理を施す処理手段と、
前記トラッキングサーボがかけられている際に前記処理が施された状態で、前記一の記録層に前記第２光ビームを照射し且つ集光することで、前記データを記録するように前記光照射手段を制御するデータ記録制御手段と
を備えることを特徴とする情報記録装置。
【請求項１４】
ＣＬＶ方式の情報記録媒体であって、予めトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、更に(ii)前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されている情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出工程と、
前記取得されたガイド情報に基づき前記トラックに対して所定の帯域でトラッキングサーボをかけるように前記光照射手段を制御するトラッキングサーボ工程と、
前記検出されたパターン信号に基づいて前記光照射手段について特定種類の処理を施す処理工程と、
前記トラッキングサーボがかけられている際に前記処理が施された状態で、前記一の記録層に前記第２光ビームを照射し且つ集光することで、前記データを記録するように前記光照射手段を制御するデータ記録制御工程と
を備えることを特徴とする情報記録方法。
【請求項１５】
ＣＬＶ方式の情報記録媒体であって、予めトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、更に(ii)前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されている情報記録媒体から、データを再生する情報再生装置であって、
前記ガイド層にトラッキング用の第１光ビームを照射し且つ集光することが可能であると共に前記複数の記録層のうち一の記録層にデータ再生用の第２光ビームを照射し且つ集光することが可能である光照射手段と、
前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出手段と、
前記取得されたガイド情報に基づき前記トラックに対して所定の帯域でトラッキングサーボをかけるように前記光照射手段を制御するトラッキングサーボ手段と、
前記検出されたパターン信号に基づいて前記光照射手段について特定種類の処理を施す処理手段と、
前記トラッキングサーボがかけられている際に前記処理が施された状態で、前記一の記録層からの前記照射され且つ集光された第２光ビームに基づく第２光を受光し、該受光された第２光に基づき前記データを取得するデータ取得手段と
を備えることを特徴とする情報再生装置。
【請求項１６】
ＣＬＶ方式の情報記録媒体であって、予めトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、更に(ii)前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されている情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、
前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出工程と、
前記取得されたガイド情報に基づき前記トラックに対して所定の帯域でトラッキングサーボをかけるように前記光照射手段を制御するトラッキングサーボ工程と、
前記検出されたパターン信号に基づいて前記光照射手段について特定種類の処理を施す処理工程と、
前記トラッキングサーボがかけられている際に前記処理が施された状態で、前記一の記録層からの前記照射され且つ集光された第２光ビームに基づく第２光を受光し、該受光された第２光に基づき前記データを取得するデータ取得工程と
を備えることを特徴とする情報再生方法。
【発明の詳細な説明】
【技術分野】
【０００１】
本発明は、例えば多層型或いは多層記録型の光ディスク等の情報記録媒体、該情報記録媒体に情報を記録する記録装置及び方法、並びに該情報記録媒体から情報を再生する情報再生装置及び方法の技術分野に関する。
【背景技術】
【０００２】
この種の情報記録媒体では、予めトラックが形成された単一のガイド層上に、複数或いは多数の記録層が重ねて形成されており、ガイド層を用いて記録層における記録や再生が行われる（例えば、特許文献１から３参照）。【０００３】
具体的には、その記録時や再生時には、トラッキング用の第１光ビーム（例えばＤＶＤと同じく赤色レーザからなるガイド光ビーム或いはサーボ光ビーム）が照射され、記録層を介してガイド層に集光される。これにより、各記録層に対するトラッキングが可能となる。即ち、ガイド層に対するフォーカスサーボ及びガイド層に予め形成されたトラックを用いてのトラッキングサーボが可能となる。【０００４】
このようなトラッキング動作と並行して、同一の光ピックアップを用いる或いは同一の対物レンズを介するなど、第１ビームとの位置関係が固定されている若しくは既知である情報記録再生用の第２ビーム（例えば、ブルーレイと同じく青色レーザからなるメイン光ビーム）が、典型的には第１ビームに同心的に重ねられた形で照射され、記録又は再生対象となっている一の記録層に集光される。これにより、各記録層における情報の記録や再生が可能となる。即ち、各記録層に対するフォーカスサーボ及び情報の書込若しくは読取が可能となる。【０００５】
加えて、この種の情報記録媒体の記録及び再生は、ディスクチルト或いは単にチルト（典型的には、光ディスク面の傾きなど）を補正する補正機構によって、光ピックアップに対し、所謂“チルト補正”が施されつつ、実行される。より一般には、チルト補正以外にも、ディスクの偏心補正、ディスク面の傾き補正、光学系の収差補正、光ビームの位相差補正やゆがみの補正、光吸収補正、ストラテジーの設定など、各種の処理が施されつつ、記録や再生が実行される。
【先行技術文献】
【特許文献】
【０００６】
【特許文献１】特開平４−３０１２２６号公報
【特許文献２】特開２００３−６７９３９号公報
【特許文献３】国際公開ＷＯ２００９／０３７７７３号公報
【発明の概要】
【発明が解決しようとする課題】
【０００７】
しかしながら、特許文献に開示された技術では、ガイド層を照射する第１ビームと記録層を照射する第２ビームのディスク上の各ビーム径が異なり、ガイド層に比べ記録層が、「高密度記録」となる場合、ガイド層のトラッキング精度は、相対的に大径である第１ビーム径から算出されるトラックピッチで制御され、それに基づいて記録層のトラッキングが行われる。このため、相対的に小径である第２ビーム径から算出され得るトラッキング精度より粗くなり、ついては高密度記録により隣接トラックからのクロストーク等の増加により特性劣化を招く。【０００８】
また、ガイド層のトラックピッチが記録層のトラックピッチと略等しくなる高密度記録とした時には、第１ビームはガイド層の複数本のトラック領域を一度に照射することになり、目標トラックに追従することが極めて困難になるという技術的課題がある。【０００９】
特に、ＣＬＶ（Constant Linear Velocity）方式を採用する場合、ディスク盤面上の利用効率を高くし且つ高密度記録を達成することは極めて困難である。即ち、多層型の情報記録媒体にてＣＬＶ方式を採用すると、多層型本来の目的である高密度記録に対応し得るような高精度或いは高解像度にて、トラッキングサーボを実行することやチルト補正等の各種処理を施すことは、実践上極めて困難になるという技術的課題がある。また、ガイド層のアドレス構成方法についても開示されていない。【００１０】
また特に、多層型の光ディスク等の場合、多層であるが故に、各記録層に対しチルト補正等の特定種類の処理を適宜に施すことは、極めて重要となり更に高密度化を図る上ではより一層重要となる。【００１１】
本発明は、例えば上述した問題点に鑑みなされたものであり、ＣＬＶ方式を採用しつつ高精度のトラッキングサーボを可能ならしめると共に、情報の記録密度を高めつつ、例えば高精度のチルト検出などの特定種類の処理の施行を可能ならしめる多層型の情報記録媒体、そのような情報記録媒体に情報を記録する記録装置及び方法、並びにそのような情報記録媒体から情報を再生する情報再生装置及び方法を提供することを課題とする。
【課題を解決するための手段】
【００１２】
本発明の情報記録媒体は上記課題を解決するために、ＣＬＶ方式の情報記録媒体であって、予めトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、更に(ii)前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されている。【００１３】
本発明の情報記録装置は上記課題を解決するために、上述した本発明の情報記録媒体に、データを記録する情報記録装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出手段と、前記取得されたガイド情報に基づき前記トラックに対して所定の帯域でトラッキングサーボをかけるように前記光照射手段を制御するトラッキングサーボ手段と、前記検出されたパターン信号に基づいて前記光照射手段について特定種類の処理を施す処理手段と、前記トラッキングサーボがかけられている際に前記処理が施された状態で、前記一の記録層に前記第２光ビームを照射し且つ集光することで、前記データを記録するように前記光照射手段を制御するデータ記録制御手段とを備える。【００１４】
本発明の情報記録方法は上記課題を解決するために、上述した本発明の情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出工程と、前記取得されたガイド情報に基づき前記トラックに対して所定の帯域でトラッキングサーボをかけるように前記光照射手段を制御するトラッキングサーボ工程と、前記検出されたパターン信号に基づいて前記光照射手段について特定種類の処理を施す処理工程と、前記トラッキングサーボがかけられている際に前記処理が施された状態で、前記一の記録層に前記第２光ビームを照射し且つ集光することで、前記データを記録するように前記光照射手段を制御するデータ記録制御工程とを備える。【００１５】
本発明の情報再生装置は上記課題を解決するために、上述した本発明の情報記録媒体から、データを再生する情報再生装置であって、前記ガイド層にトラッキング用の第１光ビームを照射し且つ集光することが可能であると共に前記複数の記録層のうち一の記録層にデータ再生用の第２光ビームを照射し且つ集光することが可能である光照射手段と、前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出手段と、前記取得されたガイド情報に基づき前記トラックに対して所定の帯域でトラッキングサーボをかけるように前記光照射手段を制御するトラッキングサーボ手段と、前記検出されたパターン信号に基づいて前記光照射手段について特定種類の処理を施す処理手段と、前記トラッキングサーボがかけられている際に前記処理が施された状態で、前記一の記録層からの前記照射され且つ集光された第２光ビームに基づく第２光を受光し、該受光された第２光に基づき前記データを取得するデータ取得手段とを備える。【００１６】
本発明の情報再生方法は上記課題を解決するために、上述した本発明の情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出工程と、前記取得されたガイド情報に基づき前記トラックに対して所定の帯域でトラッキングサーボをかけるように前記光照射手段を制御するトラッキングサーボ工程と、前記検出されたパターン信号に基づいて前記光照射手段について特定種類の処理を施す処理工程と、前記トラッキングサーボがかけられている際に前記処理が施された状態で、前記一の記録層からの前記照射され且つ集光された第２光ビームに基づく第２光を受光し、該受光された第２光に基づき前記データを取得するデータ取得工程とを備える。【００１７】
本発明のこのような作用及び利得は次に説明する実施の形態から明らかにされる。
【図面の簡単な説明】
【００１８】
【図１】本発明の実施例に係る、情報記録媒体の基本構成を示す模式的な斜視図である。
【図２】実施例における、ガイド用の第１ビーム及び記録（若しくは再生）用の第２ビームを集光する対物レンズと、情報記録媒体とを示す、模式的な部分拡大断面図である。
【図３】実施例における、ガイド層の一部拡大斜視図である。
【図４】実施例の比較例における、図３と同趣旨の一部拡大斜視図である。
【図５】実施例における、プリピットの一例を有する場合の、図２と同趣旨の一部拡大斜視図である。
【図６】実施例における、プリピットの他の例を有する場合の、図２と同趣旨の一部拡大斜視図である。
【図７】低密度記録用のトラックを示す、模式的な部分拡大平面図である。
【図８】高密度記録用のトラックを示す、模式的な部分拡大平面図である。
【図９】実施例における、ガイド層に設けられる、三つの領域が配置されているトラックの構成、及び三つの領域の各々内の構造を示す概念図である。
【図１０】実施例におけるガイド層の、三つの領域が配置されているトラックの構成を示す、模式的な平面図である。
【図１１】実施例における、ガイド領域にトラッキング信号及びチルト信号を発生可能なように、プリフォーマットされたデータの構成例を示す概念図である。
【図１２】実施例における、各スロット内に記録される各種データの一の構成例を示す概念図である。
【図１３】実施例における、各スロット内に記録される各種データの他の構成例を示す概念図である。
【図１４】実施例における、各スロット内に記録される各種データの構成例を示す概念図である。
【図１５】実施例における、情報記録再生装置のブロック図である。
【図１６】図１５の情報記録再生装置が備える、チルト検出系の構成を示すブロック図である。
【図１７】図１６のチルト検出系で用いられる、各種信号のタイミングチャートである。
【図１８】実施例における、情報記録再生方法のフローチャートである。
【図１９】実施例における、新規ディスクに対する記録方法のフローチャートである。
【図２０】実施例における、新規ディスクに対する再生方法の一例を示すフローチャートである。
【図２１】実施例における、各スロット内に記録される各種データの（「Ａ  Ｓｌｏｔ」に「Ｂ  Ｓｌｏｔ」の存在情報を重畳した場合における）構成例を示す概念図である。
【図２２】実施例の情報記録再生装置のうち、トラッキングサーボを行う回路部分のブロック図である。
【図２３】図２２の回路部分に含まれるサンプラー（Sampler）のトラッキングエラーをサンプルする動作を示す特性図である
【図２４】実施例において、トラックに沿って相隣接する二つのガイド領域の配置間隔を規定する、位相回りを示す特性図である。
【図２５】実施例において、トラックに沿って相隣接する二つのガイド領域の配置間隔を規定する、トラッキングサーボにおけるゲインの周波数特性を示す特性図である。
【図２６】実施例における、ガイド領域の構造を示す模式的な拡大平面図である。
【図２７】他の変形例における、ガイド領域内の構造を示す模式的な拡大平面図である。
【図２８】他の変形例における、ガイド領域内の構造を示す模式的な拡大平面図である。
【図２９】他の変形例における、ガイド領域内の構造を示す模式的な拡大平面図である。
【図３０】他の変形例における、光ディスクの図１と同趣旨の模式的な斜視図である。
【発明を実施するための形態】
【００１９】
以下、発明を実施するための最良の形態として、駆動装置に係る実施形態について順に説明する。
（情報記録媒体）
【００２０】
＜１＞
本実施形態の情報記録媒体は上記課題を解決するために、ＣＬＶ方式の情報記録媒体であって、予めトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、更に(ii)前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されている。
【００２１】
本実施形態の情報記録媒体によれば、典型的には、ガイド層に設けられたトラックをガイド用或いはトラッキング用に利用することで、該ガイド層上又は下に積層されている複数の記録層のうちの所望の記録層に対し、該トラックに沿って、ＣＬＶ（Constant Linear Velocity）方式にて光学的に情報を記録することが可能とされる。更に、同じくトラックをガイド用に利用することで又は利用することなく、記録済とされた所望の記録層から、ＣＬＶ方式にて光学的に情報を再生することが可能とされる。
【００２２】
ここに「ガイド層」とは、典型的には少なくとも各記録層への情報記録時或いは書込時に、各記録層に係る記録面内の位置（即ち、記録面に沿った、径方向の位置及びトラック方向の位置）を、ガイド用或いはトラッキング用の第１光ビーム（以下単に「第１光ビーム」と呼ぶ）により、ガイドする又は案内するための層を意味する。「ガイド層」は、典型的には、トラッキングエラー信号（或いはその元となるウォブル信号やプリピット信号など）が発生可能に構成されたトラックが予め物理的に作り込まれている層である。
【００２３】
またガイド層に形成される「トラック」とは、少なくとも情報記録時に、第１光ビームがなぞられる或いは追従される軌道を意味し、典型的には、例えば、ウォブリングされたり、これに加えて又は代えてピットが形成されたグルーブトラック又はランドトラックとして、ガイド層内或いはガイド層上に予め物理的に作り込まれている。なお、記録層において記録後に形成される情報トラックは、当初はトラックが何も無かった記録面内にて、記録された情報ピットの並び或いは配列として構築される点で、ここにいう予め作りこまれた「トラック」とは、明確に区別される。
【００２４】
このようにガイドされる、ガイド層内のトラック上の第１光ビームの各位置に対応する、所望の記録層における、記録後に情報トラック上をなす各位置にて、典型的には、情報記録用或いは情報書込用の第２光ビーム（以下単に「第２光ビーム」と呼ぶ）による情報記録が行われる。
【００２５】
なお、ガイド層は、典型的には、全記録層に対して一層だけ設けられていれば足りるが、例えば二層など複数備えられて、各々が適宜に用いられる或いは役割分担される構成でもかまわない。いずれにせよ、ガイド層と複数の記録層とは、相互に別層として設けられる。
【００２６】
複数の記録層は、例えば１６層など、各々に独立して情報を記録可能更に再生可能となるように構成される。複数の記録層は夫々、未記録状態では、例えばストレートグルーブ若しくはストレートランド又は鏡面など、なるべく単純な構造を持つのが好ましい。複数の記録層の相互間の位置合わせや、ガイド層との間での位置あわせが殆ど又は実践上全く不要であるのが、製造上好ましいからである。記録層の構造は、光ビームの照射側から見て、奥側の記録層或いはガイド層に対しても、光ビームが到達するように、各々の記録層における透過率及び反射率が所定範囲に収まるよう設定された各種記録方式で記録可能に構成されている。
【００２７】
より具体的には、情報記録時には、例えば、ガイド層に存在するトラックに対し、第１光ビーム（例えば、比較的大径の光スポットを形成する赤色レーザ）が集光された場合に得られる反射光から、トラッキングエラー信号（或いはその元となるウォブル信号及びこれに加えてプリピット信号）が検出可能とされる。このトラッキングエラー信号に従って、ガイド動作の一種としてトラッキング或いはトラッキングサーボが実行可能とされる。このトラッキングが行われている或いはトラッキングサーボが閉じられている状態で、トラックの上層又は下層側における所望の記録層に対し、第２光ビーム（例えば、比較的小径の光スポットを形成する青色レーザ）が集光されることで、情報の記録が行われる。言い換えれば、ガイド層に予め形成されたトラックの位置を基準として、予めトラック或いはトラックの如きが何ら存在していない（例えば、鏡面状態）他の層である所望の記録層における情報を記録する際の面内位置決めが行われる。（なお、フォーカスについては集光する際に別途行われている。）
ここで、光ピックアップ等における、第１及び第２光ビームを照射する光学系が固定されていれば、それらにより形成される光スポットの位置関係も固定されている。このため、第１光ビームの位置（即ち、それにより形成されるトラック上の光スポットの位置）についてトラッキングサーボ等のガイド動作を実行することは、第２光ビーム（即ち、それにより形成される記録面内における光スポットの位置）についても、再現性を持ってガイド動作を行っていることになる。言い換えれば、予め存在するトラック上における第１光ビームを利用して、予めトラックが存在しない記録面内における第２光ビームを、トラッキング或いはガイド可能となる。
【００２８】
このような記録方式を採用すれば、相互に積層形成される、ガイド層及び各記録層間で、或いは複数の記録層の相互間で、トラック相互間の記録面に沿った方向についての位置合わせを行う必要が元より殆ど又は実践上全くない。これは、製造上極めて有利である。
【００２９】
他方、情報再生の際には、同様にトラックはガイド用に利用されてもよいし、或いは、この情報再生の際には、既に記録層に書き込まれた情報を追従することで、ガイド層をガイド用に（典型的にはトラッキング用に）利用することなく、記録後の情報トラックに対してトラッキング動作を行うことで再生することも可能である。
【００３０】
ガイド層に形成されたトラックには、ガイド情報を担持する物理構造を夫々有する複数のガイド領域が、配置されている。ここに「ガイド情報」とは、第１光ビームをガイド若しくは案内する又は追従させるための情報であり、典型的には、光学的にトラッキングエラー信号（或いはその元となるウォブル信号及びこれに加えてプリピット信号）を発生させるための情報である。更に、ガイド情報は、トラッキング用の光ビームを位置決めするためのマークとなるという意味から「マーク情報」と言い換えることも出来る。
【００３１】
或いは、このようなガイド情報は、後に詳述する本発明に係る「目印情報」を兼ねることも可能である。
【００３２】
このようなガイド情報を担持する物理構造は、典型的には、グルーブトラック又はランドトラックの側壁又は内部若しくは外部に造作されたウォブル及びプリピット構造（即ちランドプリピット、グルーブプリピットなど）、ウォブル及び一部切欠き構造、グルーブ及びランドがない面（例えば、鏡面）上におけるプリピットの配列や連なりなどによって、実現される。ここに「物理構造」とは、論理構造、単なるデータにより構築される概念的な或いは仮想的な構造とは異なり、物理的に実在する構造を意味する。物理構造は、当該情報記録媒体の完成時に既にガイド上に造り込まれている。
【００３３】
ここで本願発明者による研究の結果、例えば所定の帯域でトラッキングを行うなどの、ガイド動作を実行可能とするといった特定目的は、いずれかのトラックにてガイド情報を検出可能とする必要があるにせよ、従前の或いは既存の光ディスクにおけるトラックの如く、当該ガイド情報を検出するための特殊な仕掛けを、トラック方向に連続して形成しなくても、達成可能であることが判明している。即ち、ガイド情報が検出される時間間隔に相当するガイド情報の配置間隔（即ち、配置ピッチ）を、ガイド動作を可能ならしめるのに最低限必要な距離よりも小さく（例えばトラッキングサーボが所定の帯域で動作可能な最長距離以下などに）設定しておく限りにおいて、トラックに沿った全域にこのような特殊な仕掛けを施しておかなくても、上記目的は達成可能であることが判明している。同時に、相隣接する複数のトラックについて言えば、径方向に揃った複数の位置或いは領域の各々に、このような特殊な仕掛けを並べておかなくても、即ち、径方向に一列に規則正しくこのような特殊な仕掛けを並べて（或いは整列させて）おかなくても、上記目的は達成可能であることが判明している。
【００３４】
そこで本発明では、複数のガイド領域は、螺旋状又は同心円状であるトラックに沿ったトラック方向（言い換えれば、トラックの接線方向）に、相互に、予め設定された所定距離又はそれ未満の距離を、配置間隔（即ち、配置ピッチ）として離散的に配置されている。ここに「所定距離」とは、典型的には、所定の帯域でトラッキング或いはトラッキング動作である、ガイド或いはガイド動作が機能し得る最長の距離（例えば、トラッキング動作を所定の帯域で安定的に実行可能ならしめる頻度にてトラッキング信号を連続的或いは継続的に発生し得る最長の距離）よりも若干のマージンを持って短い距離である。また「所定の帯域」とは、情報記録時に用いられる帯域との関係で定まる、トラッキング動作が行われる、データフォーマット或いはデータ規格に対して固有の帯域を意味する。
【００３５】
このような所定距離は、予め実験的、経験的に又はシミュレーション等により、固有の情報記録媒体におけるガイド層に対して、ガイド動作（典型的には、所定の帯域でのトラッキング動作）が機能する限界の距離を求めることと、適当なマージンを決定することで、設定されればよい。仮に、ガイド領域が、所定距離よりも長い配置間隔（即ち、配置ピッチ）で、離散的に配置されていたとすれば、例えば所定の帯域で安定したトラッキングサーボを可能ならしめるだけの頻度にてトラッキングエラー信号を生成できないなど、安定したガイド動作を実行できない。
【００３６】
なお「離散的に」とは、各記録層に係る記録面上で平面的に見て、相互に連続しておらず、相互間に、鏡面、緩衝領域、ガイド領域以外の領域など他の平面領域が介在している意味である。
【００３７】
複数のガイド領域は、トラックに交わる径方向（即ち、半径方向）に、相隣接する複数のトラックに渡って、該複数のトラック間でずらされて、配置されている。ここに「複数のトラックに渡って」とは、各記録層に係る記録面上で平面的に見て、相互に隣接する二本又は二本以上のトラック及びそれらの間隙を占める領域を含めて、それらに渡って或いは跨ってという意味である。また「径方向に、複数のトラック間でずらされて」とは、径方向（即ち半径方向）について複数のトラック間が同一位相（例えば、ディスク上の角度）或いは同一位相に相当する位置（例えば、ディスク上の角度位置）にない、或いは同一半径上にないという意味である。この際、相対的に径方向について近接して並ぶ複数のガイド領域は、完全に（即ち、間に間隙を隔てて）離間している必要は無く、典型的には、情報記録時又は再生時におけるトラッキングサーボ用の光ビームが、該複数のガイド領域に同時にかからない程度に（例えば５トラックに渡って）、径方向の位相がずらされていれば足りる。或いは、光ビームにより、該複数のガイド領域から読み取り可能な信号や情報が相互から識別可能である程度にずらされていれば足りる。
【００３８】
このため、光ビームのスポットが相隣接する二つの或いは二つ以上のトラック或いはトラック部分に跨るまで（例えば５トラックに渡るまで）トラック密度を高めても、これに対応してガイド領域が上述の如くずらされている限りにおいて、トラック方向及び径方向の双方についてガイド情報が重なること（或いは他のガイド領域からの信号成分がノイズとして影響を及ぼすこと）に起因して、即ち検出されるガイド情報のクロストークにより、ガイド情報が検出不能となってしまう事態が回避可能となる。このようにトラック密度を高めても、ガイド或いはトラッキングが可能となり、ガイド層としての、典型的にはトラッキング信号を発生する本来の機能は保証される。
【００３９】
従って、第１光ビームがガイド層における相隣接する複数のトラックに同時に照射される程度に、第１光ビームの径に対して、トラックピッチを狭めつつも、例えば第１光ビームに起因する反射光等から得られるプッシュプル信号をサンプリングするなどして、トラッキングエラー信号或いはその元となるウォブル信号及びこれに加えてプリピット信号等のガイド情報を、安定して連続的に発生させることが可能となる。即ち、所定の帯域での安定したトラッキング動作等のガイド動作が実行可能となる。或いは、ガイド情報に、制御用の情報（例えば、サーボマークやアドレス情報など）を含めた場合に、これを第１光ビームに起因する反射光等に基づく情報として、確実に読み取ることが可能となる。即ち、安定的にプリフォーマット情報を取得可能となる。
【００４０】
これは特に、第１光ビーム（例えば、赤色レーザ）が、第２光ビーム（例えば青色レーザ）に比べてビーム径が大きい場合において、第２光ビームの相対的に小さい光スポットを有効活用して（即ち、その小ささに応じて）記録層に情報記録する際における記録密度を限界付近まで高める場合に、極めて有利に働く。即ち、記録層における記録後にトラックとなる狭ピッチの記録領域に対応する狭ピッチのトラックを、ガイド層に予め造り込んだ場合に、必然的に、そのようなトラックに対して大きくなる第１光ビームの光スポットは、複数のトラック（例えば５トラックなど多数のトラック）に渡って同時に照射されるという技術的性質を有する。このため、相対的に大きな光スポットを形成する第１光ビームを用いて、狭ピッチの記録層に対応したトラッキング動作等のガイド動作を行う必要があるからである。
【００４１】
なお、第１光ビームが、第２光ビームに比べてビーム径が小さい場合においても、或いは、これらの径が殆ど又は全く同じ場合においても、トラックのピッチに対して光ビームの径が大きい場合に適切にガイド動作を行おうとする限りにおいて、やはり、上述の如き本実施形態における独自の構成は、相応の作用効果を齎すものである。
【００４２】
このように、ガイド用のトラックについては、所定の帯域でトラッキングサーボを可能ならしめること或いはプリフォーマット情報を読み取らせることなどのガイド機能を損なわないようにしつつ、そのピッチを（例えば、記録層における記録により構築されると共に第２光ビームのビーム径に相応しい情報トラックが有することになる、狭ピッチと同程度にまで）狭ピッチにする（即ち、第１光ビームに対して不相応なまでに狭ピッチにする）ことが可能となる。
【００４３】
加えて特に、ＣＬＶ方式を採用しているので、内周側になる程、角速度が増大するが故に（言い換えれば、外周側になる程、角速度が減少するが故に）、例えばガイド層のトラックに予め記録されたガイド情報の配置関係が、半径位置に応じて任意となる。例えばＣＡＶ（Constant Angular Velocity）方式であれば可能なように、特定長の情報を複数のトラックに渡って径方向に一列に整列させるといった配置をとることは、根本的に不可能である。すると、ＣＬＶ方式にて仮に何らの対策も施さないとすれば、第１光ビームが複数トラックに渡る光スポットを形成する場合に、その光スポット内部に入るトラック部分が半径位置に応じて任意となり（即ち、いずれにせよ特定長の情報であっても径方向位置に応じてトラック方向にずれ）、ガイド情報の取得が半径位置に応じて、極めて不安定とならざるを得ない。
【００４４】
しかしながら、ガイド領域は、上述の如く意識的に或いは積極的に、径方向に複数のトラック間でずらされて配置されている。このため、径方向位置によらずに（即ち内周寄りや外周寄りを問わずに）、高密度記録を実現するための高密度のトラックピッチや記録線密度に対応して、所定の帯域でのトラッキングサーボ等のガイド動作を安定して実行可能となる。逆に言えば、ＣＬＶ方式であることを前提として、径位置に応じて、予め所定距離やずらし方を規定しておけば、ＣＬＶ方式であっても何ら問題は生じない。
【００４５】
しかも、本実施形態では特に、このようなガイド機能を有するガイド層に設けられたトラックには、複数の信号検出用領域が、配置されている。複数の信号検出用領域は、センタートラック部分にて、特定種類のパターン信号が検出可能なように、径方向に相隣接する複数のトラック部分に跨る一まとまりの所定パターンを、夫々有する。ここに「センタートラック部分」とは、各信号検出用領域において径方向に相隣接する複数のトラック部分のうち、径方向の中央若しくは中心又は中心線上に位置するなど、少なくとも径方向の中央寄りに位置するトラック部分である。例えば、複数のトラック部分が、３本、５本、７本、…といった奇数本であれば、好ましくは、その丁度真ん中のトラック部分が、センタートラック部分とされる。
【００４６】
逆に、センタートラック部分以外のトラック部分については、その直上に第１光ビームによる1光スポットの中心が乗っている機会にも、敢えて、パターン信号の検出対象から除外されている。即ち、センタートラック部分以外のトラック部分でも所定パターンに起因する何らか信号或いはノイズが検出可能であろうが、そのような信号或いはノイズは、ノイズとして元より検出されないか、検出後にノイズとして破棄される。
【００４７】
複数の信号検出用領域は、典型的には、トラック方向に離散的に配置されており、径方向にも離散的に配置されている。このため、光ビームのスポットが相隣接する二つの或いは二つ以上のトラック或いはトラック部分に跨るまで（例えば５トラック、７トラックなどに渡るまで）トラック密度を高めても、検出されるパターン信号のクロストークにより、パターン信号が検出不能となってしまう事態が回避可能となる。
【００４８】
例えば、パターン信号として、チルトエラー信号などのチルト検出信号が発生可能なように、所定パターンを典型的には予め作り込んでおけば、或いは、使用開始後の任意の時点にて記録しておけば、チルト発生時に、パターン信号における大きな信号変化が得られるので、実践上極めて有益である。
【００４９】
具体的には、例えば、径方向（即ち、ラジアル方向）のチルトならば、センタートラックを中心線として線対称の所定パターンを、複数のトラックに跨る方向に面的に広がりを持つように形成しておけば、径方向のチルトに対して、感応性に優れたチルト検出信号を発生可能となる。或いは、トラック方向（即ち、タンジェンシャル方向）のチルトならば、トラックに対して直交する線分を中心線として線対称の所定パターンを、複数のトラックに跨る方向に面的に広がりを持つように形成しておけば、トラック方向のチルトに対して、感応性に優れたチルト検出信号を発生可能となる。或いは、斜め方向のチルトならば、トラックに対して斜めに交差する線分を中心線として線対称の所定パターンを、複数のトラックに跨る方向に面的に広がりを持つように形成しておけば、斜め方向のチルトに対して、感応性に優れたチルト検出信号を発生可能となる。
【００５０】
チルト補正用のチルト検出信号以外にも、ディスクの偏心補正用の偏心信号、ディスク面の傾き補正用の傾き信号、光学系の収差補正用の収差信号、光ビームの位相差補正用の位相差信号、ゆがみの補正用のゆがみ信号、光吸収補正用の光吸収信号、ストラテジーの設定用のストラテジー信号など、各種の信号が、パターン信号として検出されるように、所定パターンは構成されてよい。
【００５１】
所定パターンは、例えば、複数のトラックに跨る形で外輪形状が円形、矩形等である、環状（即ち、中抜き型）又はベタ状（即ち、中詰め型）の平面領域内における複数トラックの各部に、複数のピット、複数の微小な光学的特殊部分が形成されてなる。言い換えれば、所定パターンは、複数のピット、複数の微小な光学的特殊部分等の連なり或いは集合により構成される。
【００５２】
ここで本願発明者による研究の結果、例えばチルト検出信号に基づくチルト補正などのパターン信号に基づく特定種類の処理を実行可能とするといった特定目的は、いずれかのトラックにてチルト検出信号等のパターン信号を検出可能とする必要があるにせよ、チルト検出信号等のパターン信号を全てのトラックに連続して形成しなくても、達成可能であることが判明している。特定種類の処理が、恒等的に連続して行われることの方がむしろ稀である。即ち、チルト補正を一定値に保持する時間（言い換えれば、チルトサーボをロックしておく期間）毎に一度ずつ、チルト検出信号が検出されるといったように、特定種類の処理を行う頻度或いは期間に応じて、チルト検出信号等のパターン信号が検出されれば、上記特定目的は達成可能であることが判明している。
【００５３】
よって、一方で、相隣接する複数のトラックについて言えば、複数本おきに、パターン信号の検出が行われれば、実践上は、完全若しくはほぼ完全に又は相応に、パターン信号に基づく所定処理を実行することが可能である。他方、トラックに沿った領域については、多少の間隔を空けて或いはいずれかの位相（例えば、ディスク上の角度）をおいて、パターン信号の検出が行われれば、実践上は、完全若しくはほぼ完全に又は相応に、パターン信号に基づく所定処理を実行することが可能である。結局、例えば５本、７本おきといった複数のトラック毎に、それらを代表するセンタートラック部分にて、パターン信号が断続的に得られれば、実践上は十分ということになる。更に、パターン信号が検出される位相位置（例えば、ディスク上の角度位置）については、揃えられていてもよいし、揃えられていなくてもよい。
【００５４】
そこで本実施形態では、信号検出用領域に対しては、第1光ビームの光スポットの中心がセンタートラック部分に乗っている機会を、パターン信号の検出機会として捕らえる。センタートラック部分以外のトラック部分については、その直上に第１光ビームによる1光スポットの中心が乗っていたとしても、敢えて、パターン信号を検出する機会から除外しているのである。
【００５５】
これは特に、第１光ビーム（例えば、赤色レーザ）が、第２光ビーム（例えば青色レーザ）に比べてビーム径が大きい場合において、第２光ビームの相対的に小さい光スポットを有効活用して（即ち、その小ささに応じて）記録層に情報記録する際における記録密度を限界付近まで高める場合に、極めて有利に働く。即ち、記録層における記録後にトラックとなる狭ピッチの記録領域に対応する狭ピッチのトラックを、ガイド層に予め造り込んだ場合に、必然的に、そのようなトラックに対して大きくなる第１光ビームの光スポットは、複数のトラック（例えば５トラック、７トラックなど、多数のトラック）に渡って同時に照射されるという技術的性質を有する。
【００５６】
このため、相対的に大きな光スポットを形成する第１光ビームを用いて、径方向に相隣接する複数のトラック部分に跨る一まとまりの所定パターンを検出するのは極めて好都合だからである。デメリットを齎し易い、トラックピッチに対して大きな光スポットを、逆に有効活用しているとも言える。
【００５７】
なお、第１光ビームが、第２光ビームに比べてビーム径が小さい場合においても、或いは、これらの径が殆ど又は全く同じ場合においても、トラックのピッチに対して光ビームの径が大きい場合に所定パターンを検出しようとする限りにおいて、やはり、上述の如き本実施形態における独自の構成は、相応の作用効果を齎すものである。
【００５８】
このように所定パターンを夫々有する複数の信号検出用領域がトラックに配置されているので、チルト検出信号等の特定種類のパターン信号の配置についての自由度が格段に増す。また、複数の信号検出用領域を相互から独立して、即ち、離散的に配置することも可能であるので、情報記録媒体全体としても、自由度のある配置が可能となる。パターン信号を、特定の複数種類の処理に対応させて複数種類設けることで、複数種類の処理を適宜に実行することも可能となる。
【００５９】
以上の結果、ＣＬＶ方式を採用しつつ、記録層において記録若しくは再生できるトラックピッチや記録線密度（例えば、線記録密度、ピットピッチ或いは情報転送速度（即ち、記録線密度×移動速度））を、多層型の情報記録媒体における本来の目的である「高密度記録」と言える程度にまで高めつつ、記録層とは別のガイド層におけるチルト検出信号等のパターン信号の安定的且つ効率的な取得により、例えば高精度のチルト検出、高精度のチルト補正などの特定種類の処理の施行が可能となる。
【００６０】
＜２＞
本実施形態の情報記録媒体の一の態様では、前記複数のガイド領域のうち少なくとも、前記トラック方向における前記センタートラック部分の前に配置された一のガイド領域に係るガイド情報が、前記複数の信号検出用領域のうち対応する一つが後に来る旨を示す目印情報としても機能するように構成されている。
【００６１】
この態様によれば、ガイド情報が目印情報として機能する。即ち、複数の信号検出用領域の各々について、トラック方向におけるセンタートラック部分の前に、複数の信号検出用領域のうち対応する一つが後に来る旨を示す目印情報を担持する目印領域が、配置されている。目印情報は、例えば、上述したガイド情報の兼用として、或いは、ウォブル信号やプリピット信号などにより再生される情報である。
【００６２】
このため、パターン信号の読み込みを、目印情報の到来を元に、簡単にして確実に実行可能となる。特に、同一位相位置（例えば、ディスク上の同一角度位置）について言えば、信号発生領域の存在する位相位置でさえも、例えば５本おきや７本おきにしかセンタートラック部分が到来すること（即ち、パターン信号を検出する機会）はない。逆に言えば、多くの場合には、センタートラック部分以外のトラック部分が到来するだけで、信号発生領域の到来はない。
【００６３】
従って、目印情報の検出によってセンタートラック部分の近未来における到来事実が判明することは、パターン信号の検出等を簡単且つ安定的に実行可能となるので、極めて有利である。例えば目印情報の検出後にパターン信号の検出開始準備や、更にパターン信号に基づく特定種類の処理の開始準備を始めることを可能とする。例えば、パターン信号と目印情報との位相関係や間隔を予め規定しておくことで、目印情報から、所定パターンを検出するべきサンプリングタイミングを容易にして特定可能となる。或いは、目印情報にパターン信号が記録されているアドレス位置を持たせておけば、所定パターンを検出すべきサンプリングタイミングを容易にして特定可能となる。
【００６４】
この場合、前記複数の信号検出用領域は、前記径方向及び前記トラック方向に相隣接しないように或いは重ならないように離散的に配置されており、前記目印情報は、前記センタートラック部分における前記複数の信号検出用領域の各々の前に夫々配置されてもよい。なお、「前に」とは、間に他の領域を介することなく前にという場合と、間に緩衝領域、鏡面領域、それら以外領域を介して前にという両方の意味を含む。
【００６５】
＜３＞
本実施形態の情報記録媒体の他の態様では、前記トラックは、当該情報記録媒体における内周から外周又は外周から内周に向って螺旋状に形成されており、前記目印領域は、前記トラック方向における前記センタートラック部分の直前に配置されており、前記複数の信号検出用領域のうち対応する一つが直後に来る旨を示す。
【００６６】
この態様によれば、記録時又は再生時に、先ず目印領域にて目印情報が検出され、その後遅延無くパターン信号が到来することが判明する。このため、パターン信号の検出を予め準備することが可能となり、パターン信号を安定して且つ確実に検出できる。更に、目印情報の検出に応じて、検出されたパターン信号に基づく特定種類の処理の施行を準備することが可能となり、当該特定種類の処理を安定して且つ確実に施行できる。
【００６７】
なお、「直前に」とは、間に他の領域を介することなく前にという場合と、間に緩衝領域及び鏡面領域以外領域の領域を介することなく（即ち、緩衝領域及び鏡面領域のみを介して）前にという両方の意味を含む。
【００６８】
或いは、前記トラックは、当該情報記録媒体における内周から外周又は外周から内周に向って螺旋状に形成されており、前記目印情報は、(i)後に来る前記対応する一つをサンプリングするべきタイミング又は(ii)後に来る前記対応する一つの、前記トラック方向に沿って前記内周から前記外周又は前記外周から前記内周へ向うアドレス位置を、示すことで、前記後に来る旨を示してもよい。
【００６９】
他方、前記物理構造は、前記ガイド用のガイド情報として、前記トラック方向に沿って内周から外周又は外周から内周へ向うアドレス位置を示すアドレス情報を担持してもよい。
【００７０】
このように構成すれば、ガイド層により、例えばトラッキングエラー信号の発生によるトラッキングという一つのガイド機能のみならず、これに代えて又は加えて、アドレス情報の提供によるガイド機能が発揮される。ガイド層に予め形成されたトラックからアドレス情報まで取得できれば、トラックによりガイドされつつ記録層に情報を記録する作業が容易にでき、記録作業の信頼性及び安定性を高められる。
【００７１】
＜４＞
本実施形態の情報記録媒体の他の態様では、前記物理構造は、前記ガイド情報の前記トラック方向の長さと、前記複数の記録層に夫々記録されるデータの最小構成単位の前記トラック方向の長さとが、所定の整数比となるように、前記ガイド情報を担持し、前記所定パターンは、前記パターン信号の最小構成単位の前記トラック方向の長さと、前記最小構成単位の前記トラック方向の長さとが、所定の整数比となるように、規定されている。
【００７２】
この態様によれば、ガイド層におけるガイド情報のトラック方向の長さと、各記録層における、記録されることになるデータ（例えば、ユーザデータ、コンテンツデータなど）の最小構成単位（言い換えれば、フォーマットの構成単位）のトラック方向の長さとが、所定の整数比となる。ここに「最小構成単位」とは、例えば、ＥＣＣ（Error Correction Code）ブロック、ＡＤＩＰ（Address In Pre-groove）単位等のエラー訂正の単位など、データフォーマットに準拠しての構成単位を意味し、典型的には、情報記録時又は情報再生時に、所定種類の処理を行う際に扱われる単位となる。
【００７３】
このため、トラッキングエラー信号等のガイド情報の発生頻度と、トラックに対応する記録面内位置における記録層に情報を記録する周期とを、半径位置に寄らずに或いはトラック位置に寄らずに、一定の関係に維持することが出来る。特にＣＬＶ方式なので、径位置によって、角速度が変化するにも拘らず、任意の径位置にて、安定したガイド動作が実行可能となる。
【００７４】
しかも、ガイド層におけるパターン信号の最小構成単位のトラック方向の長さと、各記録層における、記録されることになるデータ（例えば、ユーザデータ、コンテンツデータなど）の最小構成単位のトラック方向の長さとが、所定の整数比となる。
【００７５】
このため、チルト検出信号等のパターン信号の発生頻度と、トラックに対応する記録面内位置における記録層にデータを記録する周期とを、半径位置に寄らずに或いはトラック位置に寄らずに、一定の関係に維持することが出来る。特にＣＬＶ方式を採用する場合、径位置によって、角速度が変化するにも拘らず、任意の径位置にて、検出されたパターン信号に基づき安定した特定種類の処理が実行可能となる。
【００７６】
＜５＞
本実施形態の情報記録媒体の他の態様では、前記複数のガイド領域は、前記トラック方向に、相互に長さの等しいスロットとして夫々構成され、前記ガイド情報は、前記径方向に前記複数のトラック間で相隣接しないように前記スロットの夫々内に配置されている。
【００７７】
この態様によれば、複数のガイド領域は、複数のスロットのうち、トラック方向に相隣接しておらず且つ径方向に複数のトラックに渡って相隣接していない複数のスロット内に、一つずつ配置されている。
【００７８】
ここに、「スロット」とは、トラックがトラック方向に区分されてなる論理的な区画若しくは区分、又は物理的な区画若しくは区分である。スロットは、典型的には、トラック方向に隙間無く連続して配列されており且つ径方向にも隙間なく或いは相隣接して配列されている。但し、スロットは、トラック方向及び径方向の少なくとも一方については、若干の隙間をあけて配列されてもよい。言い換えれば、ガイド層にて、予めトラック方向に並べられるように作り込まれた複数のスロットにおける、配列、或いは連なりから、トラックが構築される。
【００７９】
ガイド領域は、トラック方向に相隣接しておらず且つ径方向に複数のトラックに渡って相隣接していない複数のスロット内に、一つずつ配置されているので、複数のガイド領域から検出可能なガイド情報間におけるクロストークを確実に低減或いは無くすことが可能となる。加えて、ガイド層においては、グルーブ、ランド、プリピット等を、ガイド領域が配置されるスロット内にだけ作り込めばよく、これらをトラック全域に連続して作り込む必要は無い。しかも、スロットの存否（例えば、スロットと鏡面との相違）が物理的に明確に区別し易く、よって検出しやすいため、ガイド情報の読み取りが容易にして安定的に実行可能となる。これは、実践上大変有利である。
【００８０】
他方で、記録層における複数のスロットについては、ガイド層の場合と異なり、トラック方向及び径方向の両方についての連続する全てのスロット内に、コンテンツデータ、ユーザデータなどを記録するための個々の記録領域が配置されてよい。記録層におけるいずれのスロットについても、ガイド層におけるガイド領域が配置されたスロットと対応がとれるので、記録層に対して間接的に、所定の帯域におけるトラッキングサーボを実行可能となる。言い換えれば、記録層については、第２光ビームにより形成される光スポットによって、読み取り可能な限界までの高密度にて、全てのスロット内に情報を記録可能となる。
【００８１】
しかも、複数のスロットは、その長さが等しくされているので、ガイド情報の読み取りが非常に容易にして安定的に実行可能となる。同時に、ガイド情報と、記録層における記録すべきデータや記録済のデータとの対応付けも、非常に容易となる。
【００８２】
なお、この場合、前記複数のスロットは、前記トラック方向の長さが相互に等しく、前記トラック方向に隙間無く配列されてもよい。このように構成すれば、ガイド層及び記録層でスロットを配列することや、特にガイド層におけるいずれのスロット内にガイド領域を配置してよく、いずれのスロット内にガイド領域を配置していけないかを或いはそのような配置規則を、比較的容易にして決められる。
【００８３】
＜６＞
この態様では、前記複数の信号検出用領域は、前記スロットと長さの等しい他のスロットとして夫々構成され、前記所定パターンは、前記径方向に前記複数のトラック間で相隣接しないように且つ前記複数のガイド領域とも相互に重ならないように、前記スロットの夫々内に配置されてよい。
【００８４】
このように構成すれば、複数の信号検出領域も、ガイド情報と同様に、複数のスロットのうち、トラック方向に相隣接しておらず且つ径方向に複数のトラックに渡って相隣接していない複数のスロット内に、一つずつ配置されている。
【００８５】
複数の信号検出用領域は、トラック方向に相隣接しておらず且つ径方向に複数のトラックに渡って相隣接していない複数のスロット内に、一つずつ配置されているので、複数の信号検出用領域から検出可能なパターン信号間におけるクロストークを確実に低減或いは無くすことが可能となる。
【００８６】
＜７＞
この場合更に、前記物理構造は、前記スロットの前記トラック方向の長さと、前記複数の記録層に夫々記録されることになるデータのフォーマットの構成単位の前記トラック方向の長さとが、所定の整数比となるように、前記ガイド情報を担持し、前記所定パターンは、前記他のスロットの前記トラック方向の長さと、前記複数の記録層に夫々記録されることになるデータのフォーマットの構成単位の前記トラック方向の長さとが、所定の整数比となるように構成されてよい。
【００８７】
このように構成すれば、ガイド層におけるスロットのトラック方向の長さと、各記録層における、記録されることになるデータ（例えば、ユーザデータ、コンテンツデータなど）のフォーマットの構成単位のトラック方向の長さとが、所定の整数比となる。ここに「フォーマットの構成単位」とは、例えば、ＥＣＣブロック、ＡＤＩＰ単位等のエラー訂正の単位など、データフォーマットに準拠しての構成単位を意味し、典型的には、情報記録時又は情報再生時に、所定種類の処理を行う際に扱われる単位となる。
【００８８】
しかも、信号検出用領域が配置された他のスロットのトラック方向の長さと、各記録層における、記録されることになるデータのフォーマットの構成単位のトラック方向の長さとが、所定の整数比となる。
【００８９】
このため、トラッキングエラー信号等のガイド情報の発生頻度及びチルト検出信号等のパターン信号の発生頻度と、トラックに対応する記録面内位置における記録層に情報を記録する周期とを、半径位置に寄らずに或いはトラック位置に寄らずに、一定の関係に維持することが出来る。特にＣＬＶ方式なので、径位置によって、角速度が変化するにも拘らず、任意の径位置にて、安定したガイド動作が実行可能となると共に検出されたパターン信号に基づき安定した特定種類の処理が実行可能となる。しかも、そのためには、予め作り込む際に、スロットのトラック方向の長さを、データのフォーマットの構成単位の長さに応じて規定すればよい。
【００９０】
＜８＞
本実施形態の情報記録媒体の他の態様では、前記複数のガイド領域と前記複数の信号検出領域とは、相互に異なる配置規則で混在して配置されている。
【００９１】
この態様によれば、少なくとも記録時にガイド情報は、ガイド領域の配置規則に対応する所定規則で読み取られる。すると、別の配置規則で配置されている信号検出用領域からパターン信号が読み込まれ難くなる。逆に記録時又は再生時に、パターン信号は、信号検出用領域の配置規則に対応する所定規則で読み取られる。すると、別の配置規則で配置されているガイド領域からガイド情報が読み込まれ難くなる。即ち、ガイド情報とパターン信号との間におけるクロストークを、配置規則或いは読み込む際の所定規則の相違に応じて、低減することができる。よって、該クロストークを殆ど又は実践上全く気にすることなく、ガイド領域と信号検出領域とを混在させることができる。これにより、ガイド層の全域における任意位置にて又は任意位置の近傍にて、ガイド情報及びパターン信号の少なくとも一方を適宜に読み取ることが可能となる。よって、情報記録媒体の全域に渡って、安定したトラッキングサーボ等のガイド動作を行うことと、安定したチルト検出、高精度のチルト補正等の特定種類の処理を施行することとが両立する。
【００９２】
＜９＞
本実施形態の情報記録媒体の他の態様では、前記複数のガイド領域と前記複数の信号検出領域とは、前記径方向に相隣接しないように、相互間に緩衝領域を介在する形で離間されている。
【００９３】
この態様によれば、ガイド領域と信号検出領域とは径方向に相隣接しないように相互間に緩衝領域を介在する形で離間されている。ここに「径方向に相隣接しない」とは、直ぐ隣のトラック上に配置されない意味だけでなく、複数本離れたトラック上に配置されない意味も含む。「緩衝領域」とは、鏡面又はストレートグルーブ若しくはストレートランド構造を有する領域である。この「鏡面」とは、特に情報が埋め込まれてないプレーンな素面を意味し、ガイド層にて光反射率が最も高い面となる。この「ストレートグルーブ若しくはストレートランド構造」とは、ウォブルやピットなどが形成されていない単なる真っ直ぐな溝（グルーブ）又は溝と溝との間にある土手（ランド）を意味する。なお、グルーブとランドとは、相対的な凹凸であり、第１及び第２光ビームが照射される方向から見て、どちらが凹でありどちらが凸であっても構わない。例えば、情報記録媒体を構成する本体基板を基準に凹となるのがグルーブであり、凸となるのがランドである。この場合、第１及び第２光ビームが照射される方向から見て、グルーブが凸となり且つランドが凹となったりする。
【００９４】
従って、少なくとも記録時にガイド情報が、ガイド領域から読み取られる際に、緩衝領域を介在する形で離間している信号検出用領域からパターン信号が読み込まれ難くなる。逆に記録時又は再生時にパターン信号が、信号検出用領域から読み取られる際に、緩衝領域を介在する形で離間しているガイド領域からガイド情報が読み込まれ難くなる。即ち、ガイド情報とパターン信号との間におけるクロストークを、緩衝領域の大きさ等の属性に応じて、低減することができる。よって、該クロストークを殆ど又は実践上全く気にすることなく、ガイド領域と信号検出領域とを緩衝領域を介在させつつ混在させることができる。これにより、ガイド層の全域における任意位置にて又は任意位置の近傍にて、ガイド情報及びパターン信号の少なくとも一方を適宜に読み取ることが可能となる。よって、情報記録媒体の全域に渡って、安定したトラッキングサーボ等のガイド動作を行うことと、安定したチルト検出、高精度のチルト補正等の特定種類の処理を施行することとが両立する。
【００９５】
＜１０＞
本実施形態の情報記録媒体の他の態様では、前記物理構造は、ウォブル及びプリピット構造、並びにウォブル及び一部切欠き構造のうち少なくとも一方を含む。
【００９６】
この態様によれば、複数のガイド領域は、ガイド用のガイド情報を担持する、ウォブル及びプリピット構造並びにウォブル及び一部切欠き構造のうち少なくとも一方を含む物理構造を夫々有する。ここに「ウォブル及びプリピット構造」とは、ウォブル或いはウォブリングされたグルーブ又はランドトラックが形成されていると共に、そのグルーブ内又はランド内にプリピットが形成されている構造を意味する。更に「プリピット」とは、グルーブ内若しくは上、又はランド上若しくは内におけるトラック上に、グルーブ幅又はランド幅よりも狭くなるように形成された凸状又は凹状のピット或いは位相ピットを意味する。言い換えれば、プリピットは、ランドプリピットでも、グルーブプリピットであってもよい。
【００９７】
他方、「ウォブル及び一部切欠き構造」とは、ウォブル或いはウォブリングされたグルーブ又はランドトラックが形成されていると共に、そのグルーブ内又はランド内にグルーブ幅又はランド幅と同等の切欠きが施されている構造を意味する。相隣接するグルーブ間に存在するランドの一部が切欠きされている場合、相隣接するランド間に存在するグルーブの一部が切欠きされている場合、及びそれらを組み合わせた場合が考えられる。言い換えれば、物理構造は、一部切欠きという広義のプリピットを含んで構成されてもよく、更に、この広義のプリピットは、広義のランドプリピットでも、広義のグルーブプリピットであってもよい。更に、そのような構造に加えて、前述した狭義のプリピット（即ち、一部切欠き構造を伴わないプリピット）を併せて形成することも可能である。
【００９８】
このように、トラックは、ウォブリングされ且つピットが形成されたグルーブトラック又はランドトラックとして、或いは、ランド又はグルーブの一部が切欠きされたグルーブトラック又はランドトラックとして、ガイド層に予め構築される。よって、その構築は、比較的容易であり、最終的には、信頼性及び安定性の高いガイド動作が可能とされる。
【００９９】
＜１１＞
本実施形態の情報記録媒体の他の態様では、前記トラックは、トラッキングサーボ用のガイドトラックであり、前記物理構造は、前記ガイド情報の少なくとも一部を構成する前記トラッキングサーボ用の信号を、発生可能であり、前記複数のガイド領域は夫々、前記トラッキングサーボ用の信号を発生するためのサーボ用領域であり、前記所定距離は、前記トラッキングサーボが所定の帯域で動作可能な距離に予め設定されており、前記複数のサーボ用領域は、前記トラッキングサーボ用の光ビームの径に基づいて、前記光ビームが同時に照射されないように前記複数のトラック間でずらされて、配置されている。
【０１００】
この態様によれば、ガイド層は、少なくとも各記録層への情報記録時に、各記録層に係る記録面内の位置を、第１光ビームによりトラッキングするために、トラッキングエラー信号等が発生可能に構成されたトラックが作り込まれている層である。
【０１０１】
より具体的には、情報記録時には、ガイド層に存在するトラックに対し、第１光ビームが集光された場合に得られる反射光から、トラッキングエラー信号等が検出可能とされる。このトラッキングエラー信号に従って、ガイド動作の一種としてトラッキング或いはトラッキングサーボが実行可能とされる。
【０１０２】
ここで本実施形態では特に、複数のサーボ用領域は、トラック方向に、予め設定されたトラッキングサーボが所定の帯域で動作可能な距離以内だけ相互から離間して、配置されている。即ち、トラック方向に相前後する二つのサーボ用領域間は、トラッキング動作を安定的に実行可能ならしめる頻度にて、サーボ用領域からトラッキング信号を連続的或いは継続的に発生し得る最長の距離以内にて、離散的に配置されている。
【０１０３】
しかも、複数のサーボ用領域は、トラッキングサーボ用の第１光ビームの径に基づいて、この光ビームが同時に照射されないように複数のトラック間でずらされて、配置されている。
【０１０４】
このため、第１光ビームのスポットが相隣接する二つの或いは二つ以上のトラック部分に跨るまでトラック密度を高めても、これに対応してサーボ用領域が上述の如くずらされている限りにおいて、トラック方向及び径方向の双方についてトラッキングエラー信号（或いはその元となるウォブル信号）が重なること（或いは他のサーボ用領域からのトラッキングエラー信号の成分がクロストークのノイズとして影響を及ぼすこと）に起因して、トラッキングエラー信号が検出不能となってしまう事態が回避可能となる。即ち、このようにトラック密度を高めても、トラッキングが可能となり、ガイド層としての、トラッキング信号を発生する本来の機能は保証される。
【０１０５】
従って、トラックピッチを狭めつつも、例えば第１光ビームに起因する反射光等から得られるプッシュプル信号をサンプリングするなどして、或いは、位相差法（ＤＰＤ）により位相差信号をサンプリングするなどして、トラッキングエラー信号を、安定して連続的に発生させることが可能となる。即ち、安定したトラッキング動作等のガイド動作が実行可能となる。
【０１０６】
＜１２＞
本実施形態の情報記録媒体の他の態様では、前記所定パターンは、前記パターン信号として、チルト検出用のチルト検出信号を検出可能なように構成されている。
【０１０７】
この態様によれば、チルト検出信号が発生可能なように、所定パターンを典型的には予め作り込んでおけば、或いは、使用開始後の任意の時点にて記録しておけば、チルト発生時に、チルトエラー信号などのチルト検出信号における大きな信号変化が得られるので、実践上極めて有益である。これにより、チルト補正を高精度で施行可能となる。
【０１０８】
以上説明した実施形態の情報記録媒体では、前記複数のガイド領域は、前記トラック方向に(i)鏡面又はストレートグルーブ若しくはストレートランド構造を有する緩衝領域並びに(ii)鏡面又はストレートグルーブ若しくはストレートランド構造を有する鏡面領域のうち少なくとも一方を、間に挟んで配置されてよい。このように構成すれば、ガイド層では、トラックに沿って、緩衝領域、ガイド領域、及び鏡面領域が、適宜に順番に並べられる構造が予め構築される。ここに「鏡面」とは、特に情報が埋め込まれてないプレーンな素面を意味し、ガイド層にて光反射率が最も高い面となる。「ストレートグルーブ若しくはストレートランド構造」とは、ウォブルやピットなどが形成されていない単なる真っ直ぐな溝（グルーブ）又は溝と溝との間にある土手（ランド）を意味する。なお、グルーブとランドとは、相対的な凹凸であり、第１及び第２光ビームが照射される方向から見て、どちらが凹でありどちらが凸であっても構わない。例えば、情報記録媒体を構成する本体基板を基準に凹となるのがグルーブであり、凸となるのがランドである。この場合、第１及び第２光ビームが照射される方向から見て、グルーブが凸となり且つランドが凹となったりする。
【０１０９】
この場合更に、前記緩衝領域は、前記トラック方向に、前記複数のガイド領域の各々における先頭部の前と最後部の後ろに夫々隣接配置されており、前記鏡面領域は、前記トラック方向に、前記複数のガイド領域のうち一のガイド領域の最後部の後ろに隣接配置された前記緩衝領域と、前記複数のガイド領域のうち前記一のガイド領域の次の他のガイド領域の先頭部の前に隣接配置された前記緩衝領域との間に配置されてよい。
【０１１０】
このように構成すれば、トラック方向における各ガイド領域の前後に緩衝領域が設けられており、言わば、「緩衝領域付のガイド領域」が構築される。更に、それらの間に、鏡面領域が、配置されているので、トラックに沿ってガイド領域を探し出すのが容易となり、安定して確実にガイド情報を検出可能となる。これにより、安定したガイド動作が実行可能となる。
【０１１１】
なお、一のガイド領域が配置されたのと同一スロット内に、該一のガイド領域の先頭部の前に隣接配置された緩衝領域も配置されてよい。又は、これに代えて若しくは加えて、同一スロット内に、該一のガイド領域の最後部の後ろに隣接配置された緩衝領域も配置されてよい。
【０１１２】
加えて、以上説明した実施形態の情報記録媒体では好ましくは、前記ガイド領域が配置される複数のスロットは、(i)少なくとも前記記録層に対する情報記録時に前記トラックに対して照射され且つ集光される光ビームにより、前記トラック上に形成される光スポットの径と、(ii)前記トラックの前記径方向のピッチと、(iii)前記ＣＬＶ方式に準拠して周回毎に前記径方向に相隣接する二つのスロット間の相対位置が、ＣＡＶ方式に準拠したと仮定した場合に比べて前記トラック方向に沿ってずれる変位量と、(iv)前記スロットの前記トラック方向の長さとに基づいて、前記光スポット内に同時に含まれない複数のスロットとして選定されている。
【０１１３】
このように構成すれば、光スポット内に同時に含まれない複数のスロットを、光スポットの径、トラックのピッチと、上記変位量と、スロットのトラック方向の長さとから、算術により決定できる。ここに「含まれない」とは、狭義には、ガイド層の主面、即ち記録層の記録面上で平面的に見て、端や隅などの一部についても二つのスロットが光スポット内に同時に含まれない意味である。広義には、ガイド情報をクロストークなしで検出可能である限度において若干の部分について二つのスロットが光スポット内に同時に含まれてもよい意味である。このように選定されたスロット内にのみガイド領域を配置すれば、比較的容易にして確実にガイド情報間でのクロストークの発生を回避し得る、スロットの配置を有するガイド領域を実現できる。
（情報記録装置）
【０１１４】
＜１３＞
本実施形態の情報記録装置は上記課題を解決するために、上述した実施形態の情報記録媒体（但し、その各種態様を含む）に、データを記録する情報記録装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出手段と、前記取得されたガイド情報に基づき前記トラックに対して所定の帯域でトラッキングサーボをかけるように前記光照射手段を制御するトラッキングサーボ手段と、前記検出されたパターン信号に基づいて前記光照射手段について特定種類の処理を施す処理手段と、前記トラッキングサーボがかけられている際に前記処理が施された状態で、前記一の記録層に前記第２光ビームを照射し且つ集光することで、前記データを記録するように前記光照射手段を制御するデータ記録制御手段とを備える。
【０１１５】
本実施形態の情報記録装置によれば、例えば二種類の半導体レーザを含む光ピックアップである光照射手段により、ガイド層に対して、第１光ビームが照射され且つ集光される。第１光ビームは、前述の如く、例えば赤色レーザ光ビームの如くスポット径が相対的に大きい光ビームであってよい。即ち、相対的に大きく、複数トラックに渡って照射されるような大きな光スポットを形成するような太い光束の光ビームであっても構わない。
【０１１６】
すると、第１光ビームに基づく、ガイド層からの反射光、散乱光、屈折光、透過光等である第１光が、受光手段により、受光される。ここに受光手段は例えば、光照射手段と一体形成され対物レンズ等の光学系を少なくとも部分的に共有する、二分割或いは四分割のＣＣＤ（Charged Coupled Device）等のフォトディテクタ或いは受光素子を含んで構成される。受光手段は例えば、プリズムやダイクロイックミラー、ダイクロイックプリズム等を経由して、第１光を、第２光並びに第１及び第２光ビームと途中から異なる光路にて、受光するように構成される。
【０１１７】
続いて、この受光された第１光に基づき、ガイド領域の物理構造により担持されたガイド情報が、例えばプロセッサ、演算回路、論理回路等を含んでなる、取得・検出手段により取得される。
【０１１８】
続いて、この取得されたガイド情報に基づき、トラックに対して所定の帯域でトラッキングサーボをかけるように或いはトラッキングサーボを閉じるように、例えばトラッキングサーボ回路等のトラッキングサーボ手段によって、例えば光ピックアップ等の光照射手段が制御される。例えば、光照射手段における、トラッキング制御用のアクチュエータが、フィードバック制御或いはフィードフォーワード制御により制御され、第１光ビームにより形成される光ビームが、トラック上に追従される。この際特に、所定の帯域でトラッキングサーボをかけるためには、トラックに沿った全てのスロット内にガイド情報を発生可能なガイド領域が配置されている必要は無い。即ち、ガイド領域を含むスロットは、所定の帯域に応じて、トラック方向及び半径方向の双方について離散的に、配置されれば足りる。
【０１１９】
このようなトラッキングサーボの実行に相前後して又は一部並列して、取得・検出手段により取得されたガイド情報により「後に来る旨」が示される信号検出用領域から、この受光された第１光に基づき、パターン信号が、検出される。ここでは、ガイド情報は「複数の信号検出用領域のうち対応する一つが後に来る旨」を示す目印情報として機能する。なお、全てのガイド情報が、目印情報として機能する必要は無く、全ガイド情報のうち、所定位置（例えば、信号検出用領域の前など）に配置された一又は複数のガイド情報が目印情報として機能すればよい。
【０１２０】
続いて、この検出されたパターン信号に基づいて、光照射手段について特定種類の処理が、例えば、プロセッサ、演算回路、論理回路等を含んでなる、処理手段により施される。ここに「特定種類の処理」とは、例えば、パターン信号がチルト検出信号である場合におけるチルト補正である。即ち、例えば、チルト検出信号に応じて、光ピックアップ等の光照射手段に設けられたチルト補正用のアクチュエータがフィードバック制御或いはフィードフォーワード制御により駆動され、第１光ビームの照射角度等が補正され、補正後には、次のチルト検出信号が検出されるまで固定される（即ち、次の機会まで、チルトサーボがロックされる）。
【０１２１】
特定種類の処理としては、その他に、ディスクの偏心補正、ディスク面の傾き補正、光学系の収差補正、光ビームの位相差補正やゆがみの補正、光吸収補正、ストラテジーの設定などの処理があり、いずれも、パターン信号の種類に応じた処理とされる。
【０１２２】
ここで、光ピックアップ等における、第１及び第２光ビームを照射する光学系が固定されていれば、それらにより形成される光スポットの位置関係も固定されている。このため、第１光ビームを利用して、チルト補正等の特定種類の処理を施行することは、第２光ビームについても、再現性を持って特定種類の処理を施行していることになる。言い換えれば、予め存在するトラック上における第１光ビームを利用して、予めトラックが存在しない記録面内における第２光ビームについても必要な或いは好ましい特定種類の処理を、間接的に施行可能となる訳である。
【０１２３】
このように所定の帯域でトラッキングサーボがかけられている或いはトラッキングサーボが閉じられた状態であり且つ特定種類の処理が施された状態で（例えば、チルトサーボがロックされた状態や、チルト補正が施されている最中に）、例えばプロセッサ等のデータ記録制御手段による制御下で、記録すべき情報に対応して変調される第２光ビームが、光照射手段により、照射され且つ集光される。第２光ビームは、情報記録の高密度記録を狙って、前述したように例えば青色レーザ光ビームの如くスポット径が相対的に小さい光ビームであってよい。記録情報の高密度化を図るという観点からは、第２光ビームは、より細い光束であることが望ましい。
【０１２４】
すると、所望の記録層において、ガイド層におけるトラックに対応する情報トラックとなる領域に、データが順次記録されることになる。この際、記録層へのデータの記録を、例えばスロットの整数倍など、スロットに対応する単位で行うようにすれば、記録動作が簡単且つ安定したものとなる。
【０１２５】
このように、上述した実施形態の情報記録媒体における記録層に対し好適に、例えばコンテンツ情報、ユーザ情報等の記録すべき情報を、チルト補正等の特定種類の処理の施行下で高精度に且つ高密度にて記録可能となる。
（情報記録方法）
【０１２６】
＜１４＞
本実施形態の情報記録方法は上記課題を解決するために、上述した実施形態の情報記録媒体（但し、その各種態様を含む）に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出工程と、前記取得されたガイド情報に基づき前記トラックに対して所定の帯域でトラッキングサーボをかけるように前記光照射手段を制御するトラッキングサーボ工程と、前記検出されたパターン信号に基づいて前記光照射手段について特定種類の処理を施す処理工程と、前記トラッキングサーボがかけられている際に前記処理が施された状態で、前記一の記録層に前記第２光ビームを照射し且つ集光することで、前記データを記録するように前記光照射手段を制御するデータ記録制御工程とを備える。
【０１２７】
本実施形態の情報記録方法によれば、上述した実施形態の情報記録装置の場合と同様に作用し、最終的には、上述した実施形態の情報記録媒体における記録層に対し好適に、例えばコンテンツ情報、ユーザ情報等の記録すべき情報を、チルト補正等の特定種類の処理の施行下で高精度に且つ高密度にて記録可能となる。
（情報再生装置）
【０１２８】
＜１５＞
本実施形態の情報再生装置は上記課題を解決するために、上述した実施形態の情報記録媒体（但し、その各種態様を含む）から、データを再生する情報再生装置であって、前記ガイド層にトラッキング用の第１光ビームを照射し且つ集光することが可能であると共に前記複数の記録層のうち一の記録層にデータ再生用の第２光ビームを照射し且つ集光することが可能である光照射手段と、前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出手段と、前記取得されたガイド情報に基づき前記トラックに対して所定の帯域でトラッキングサーボをかけるように前記光照射手段を制御するトラッキングサーボ手段と、前記検出されたパターン信号に基づいて前記光照射手段について特定種類の処理を施す処理手段と、前記トラッキングサーボがかけられている際に前記処理が施された状態で、前記一の記録層からの前記照射され且つ集光された第２光ビームに基づく第２光を受光し、該受光された第２光に基づき前記データを取得するデータ取得手段とを備える。
【０１２９】
本実施形態の情報再生装置によれば、例えば二種類の半導体レーザを含む光ピックアップである光照射手段により、ガイド層に対して、第１光ビームが照射され且つ集光される。第１光ビームは、前述の如く、例えば赤色レーザ光ビームの如くスポット径が相対的に大きい光ビームであってよい。即ち、相対的に大きく、複数トラックに渡って照射されるような大きな光スポットを形成するような太い光束の光ビームであっても構わない。
【０１３０】
すると、第１光ビームに基づく、ガイド層からの反射光、散乱光、屈折光、透過光等である第１光が、受光手段により、受光される。
【０１３１】
続いて、この受光された第１光に基づき、ガイド領域の物理構造により担持されたガイド情報が、例えばプロセッサ、演算回路、論理回路等を含んでなる、情報取得手段により取得される。
【０１３２】
続いて、この取得されたガイド情報に基づき、トラックに対して所定の帯域でトラッキングサーボをかけるように或いはトラッキングサーボを閉じるように、例えばトラッキングサーボ回路等のトラッキングサーボ手段によって、例えば光ピックアップ等の光照射手段が制御される。この際特に、所定の帯域でトラッキングサーボをかけるためには、トラックに沿った全てのスロット内にガイド情報を発生可能なガイド領域が配置されている必要は無い。即ち、ガイド領域を含むスロットは、所定の帯域に応じて、トラック方向及び半径方向の双方について離散的に、配置されれば足りる。
【０１３３】
このようなトラッキングサーボの実行に相前後して又は一部並列して、取得・検出手段により取得されたガイド情報により「後に来る旨」が示される信号検出用領域から、この受光された第１光に基づき、パターン信号が、検出される。
【０１３４】
続いて、この検出されたパターン信号に基づいて、光照射手段について特定種類の処理が、例えば、プロセッサ、演算回路、論理回路等を含んでなる、処理手段により施される。
【０１３５】
このように所定の帯域でトラッキングサーボがかけられている或いはトラッキングサーボが閉じられた状態であり且つ特定種類の処理が施された状態で（例えば、チルトサーボがロックされた状態や、チルト補正が施されている最中に）、例えばプロセッサ等のデータ取得手段による制御下で、第２光ビームが、光照射手段により、所望の記録層に照射され且つ集光される。第２光ビームは、情報記録の高密度再生を狙って、前述したように例えば青色レーザ光ビームの如くスポット径が相対的に小さい光ビームであってよい。
【０１３６】
すると、所望の記録層において、記録済情報が再生されることになる。この際、記録時における記録層へのデータの記録を、例えばスロットの整数倍など、スロットに対応する単位で行うようにしておけば、再生動作が簡単且つ安定したものとなる。
【０１３７】
このように、上述した実施形態の情報記録媒体における記録層に対から好適に、例えばコンテンツ情報、ユーザ情報等の記録済情報を、チルト補正等の特定種類の処理の施行下で高精度に且つ高密度にて再生可能となる。
【０１３８】
なお、ガイド層によるトラッキングを利用することなく、即ち第１光ビームを利用することなく、専ら第２光ビームにより、記録済の記録情報の配列或いは連なりからなる情報トラックに対してトラッキングを行いつつ、該情報トラックから情報を再生することも可能である。即ち、情報再生時には、第２光ビームのみを利用し、情報記録時には第１及び第２光ビームの両方を利用するという、記録及び再生の別に応じて、光ビームを使い分けるように情報再生装置を構築することも可能である。情報再生時には、第２光ビームのみが使用されるので、相対的に（即ち、再生時にも第１光ビームを使用する場合に比較して）低消費電力且つ単純な制御にて、再生を実行可能となる。特に、情報再生装置を、情報記録時と情報再生時とで光ビームの使い分けをする、記録機能をも備えた「情報記録再生装置」として実現すれば、実践上非常に有利となる。
（情報再生方法）
【０１３９】
＜１６＞
本実施形態の情報再生方法は上記課題を解決するために、上述した実施形態の情報記録媒体（但し、その各種態様を含む）から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出工程と、前記取得されたガイド情報に基づき前記トラックに対して所定の帯域でトラッキングサーボをかけるように前記光照射手段を制御するトラッキングサーボ工程と、前記検出されたパターン信号に基づいて前記光照射手段について特定種類の処理を施す処理工程と、前記トラッキングサーボがかけられている際に前記処理が施された状態で、前記一の記録層からの前記照射され且つ集光された第２光ビームに基づく第２光を受光し、該受光された第２光に基づき前記データを取得するデータ取得工程とを備える。
【０１４０】
本実施形態の情報再生方法によれば、上述した実施形態の情報再生装置の場合と同様に作用し、最終的には、上述した実施形態の情報記録媒体における記録層から好適に、例えばコンテンツ情報、ユーザ情報等の記録済情報を、チルト補正等の特定種類の処理の施行下で高精度に且つ高密度にて再生可能となる。
【０１４１】
本実施形態のこのような作用及び他の利得は次に説明する実施例から明らかにされる。
【０１４２】
以上説明したように、本実施形態に係る情報記録媒体によれば、ガイド層と複数の記録層とを備え、トラックには複数の信号検出用領域及びガイド領域が配置されているので、ＣＬＶ方式を採用しつつ、チルト補正等の特定種類の処理の施行下で高精度の記録が可能となり、記録層において記録若しくは再生できるトラックピッチや記録線密度を高めることが可能となる。
【０１４３】
本実施形態に係る情報記録装置によれば、光照射手段と取得・検出手段とトラッキングサーボ手段と処理手段とデータ記録制御手段とを備え、本実施形態に係る情報記録方法によれば、取得・検出工程とトラッキングサーボ工程と処理工程とデータ記録制御工程とを備えるので、上述した実施形態の情報記録媒体における記録層に対し好適に、例えばコンテンツ情報、ユーザ情報等の記録すべき情報を、高精度に且つ高密度にて記録可能となる。
【０１４４】
本実施形態に係る情報再生装置によれば、光照射手段と取得・検出手段とトラッキングサーボ手段と処理手段とデータ取得手段とを備え、本実施形態に係る情報再生方法によれば、取得・検出工程とトラッキングサーボ工程と処理工程とデータ取得工程とを備えるので、上述した実施形態の情報記録媒体における記録層から好適に記録済情報を高精度に且つ高密度にて再生可能となる。
【実施例】
【０１４５】
以下、図面を参照しながら、本発明の各種実施例について説明する。尚、以下では、本発明に係る情報記録媒体を、多層記録型の光ディスクに適用した例について説明する。
＜情報記録媒体の実施例＞
初めに、図１から図１５を参照して、本発明に係る情報記録媒体の一例である多層記録型の光ディスクの実施例について説明する。【０１４６】
先ず、図１〜図８を参照して、本実施例に係る光ディスク１１の基本構成（主に物理的な構造）及び基本原理について説明する。【０１４７】
図１において、光ディスク１１は、多層記録型であり、単一のガイド層１２と複数の記録層１３とを備える。ここに図１は、図中左半面に図示された一枚の光ディスク１１を構成する複数の層を、図中右半面にて、その積層方向（図１中、上下方向）について相互に間隔をあけて分解することで、各層を見易くしてなる模式的な斜視図である。【０１４８】
光ディスク１１に対しては、その記録時に、トラッキングサーボ用であると共に本発明に係る「第１光ビーム」の一例たる第１ビームＬＢ１と、情報記録用であると共に本発明に係る「第２光ビーム」の一例たる第２ビームＬＢ２とが同時に照射される。その再生時に、第１ビームＬＢ１と、情報再生用である第２ビームＬＢ２とが同時に照射される。なお、情報再生時には、第２ビームＬＢ２を、トラッキングサーボ用であり且つ情報再生用である、単一の光ビームとして利用すること（即ち、第１ビームＬＢ１を使用しないこと）も、可能である。【０１４９】
光ディスク１１はＣＬＶ方式であり、同心円状又は螺旋状のトラックＴＲに予め記録されており、情報記録時又は再生時に検出されるトラッキングエラー信号（或いはその元となるウォブル信号）、アドレス情報（或いはその元となるプリピット信号）等は、ＣＬＶ方式に準拠してトラックに沿って配列されている。図１中、右半面に示されているように、第１ビームＬＢ１は、ガイド層１２に集光され、トラックＴＲ（即ち、ガイドトラック）を追従するように、トラッキング制御される。【０１５０】
図２に示すように、第２ビームＬＢ２は、ガイド層１２上に積層された複数の記録層１３のうち記録対象又は再生対象たる、所望の一つの記録層１３に集光される。第２ビームＬＢ２は、例えばＢＲ（ブルーレイ）ディスクと同じく比較的小径の青色レーザビームである。これに対して、第１ビームＬＢ１は、例えばＤＶＤと同じく比較的大径の赤色レーザビームである。第１ビームＬＢ１により形成される光スポットの径は、第２ビームＬＢ２により形成される光スポットの径と比べて、例えば数倍程度となる。【０１５１】
複数の記録層は、例えば１６層など、各々に独立して情報を光学的に記録可能、更に再生可能となるように構成される。より具体的には、複数の記録層１３は夫々、例えば、２光子吸収材料を含む半透明の薄膜から構成される。例えば、２光子吸収材料としては、２光子吸収が起こった領域の蛍光強度が変化する蛍光物質を用いる蛍光タイプ、電子の局在化によって屈折率が変化するフォトリフラクティブ物質を用いる屈折率変化タイプなどが、採用可能である。屈折率変化タイプの２光子吸収材料としては、フォトクロミック化合物やビス（アラルキリデン）シクロアルカノン化合物などの利用が有望視されている。【０１５２】
２光子吸収材料を利用した光ディスク構造としては、(i)光ディスク１１の全体が２光子吸収材料からなるバルク型と(ii)２光子吸収材料の記録層及び別の透明材料のスペーサ層を交互に積層した層構造型とがある。層構造型は、記録層１３及びスペーサ層間の界面で反射される光を利用してフォーカスサーボ制御が可能となる利点がある。バルク型は、多層成膜工程が少なく、製造コストを抑えられる利点がある。【０１５３】
記録層１３の材料としては、第２ビームＬＢ２の波長及び強度の少なくとも一方に応じて感応し、屈折率、透過率、吸収率、反射率などの光学特性が変化することで、記録可能であると共に、安定な材料であればよい。例えば、光重合反応を生じるフォトポリマー、光異方性材料、フォトリフラクティブ材料、ホールバーニング材料、光を吸収して吸収スペクトルが変化するフォトクロミック材料など、透光性或いは半透明の光感応材料が、考えられる。例えば、記録層１３としては、波長λ２の第２ビームＬＢ２に感応するともに波長λ１（λ２＜λ１）の第１ビームＬＢ１に感応しない相変化材料、２光子吸収材料などが用いられる。【０１５４】
複数の記録層１３は夫々、上述の２光子吸収材料、相変化材料以外にも、例えば色素材料等であってもよい。複数の記録層１３は夫々、未記録状態では、トラックＴＲは予め形成されておらず、例えば全域が鏡面或いは凹凸のない平面とである。【０１５５】
このような複数の記録層１３がガイド層１２上に積層された光ディスク１１に対し、少なくとも情報記録時には、光ピックアップが有する共通の対物レンズ１０２Ｌを介して、これらの径及び焦点深度が相異なる第１ビームＬＢ１及び第２ビームＬＢ２が、ほぼ又は実践上完全に同軸的に照射される。【０１５６】
図１及び図２において、第２ビームＬＢ２についてのトラッキング動作は、（特に記録時には記録層１３上に何らのトラックも存在しないので）第１ビームＬＢ１によるガイド層１２のトラックＴＲに対するトラッキング動作により、間接的になされる。即ち、第１ビームＬＢ１と第２ビームＬＢ２とは、対物レンズ１０２Ｌ等の共通の光学系（言い換えれば、照射される光ビーム間の位置関係が固定された光学系）を介して、照射される。このため、第１ビームＬＢ１の光ディスク１１の面内における位置決めが、そのまま第２ビームＬＢ２の光ディスク１２の面内（即ち、各記録層１３の記録面内）における位置決めとして、利用できる訳である。【０１５７】
ガイド層１２のトラックＴＲには、トラッキングエラー信号（或いはその元となるウォブル信号などのトラッキングエラーを発生させるための信号）及びプリピット信号を担持する物理構造を夫々有する、複数のサーボ用領域が、配置されている。ここに、トラッキングエラー信号及びプリピット信号は、本発明に係る「ガイド用のガイド情報」の一例を構成する。複数のサーボ用領域は、本発明に係る「複数のガイド領域」の一例を構成している。【０１５８】
ここで図３〜図６を参照して、ガイド層１２の物理的な構造について詳述する。図３〜図６は夫々、ガイド層１２におけるウォブリングが施されたトラック部分を抜粋して拡大表示している。特に、図３は、実施例における単にウォブリングが施されたトラック部分を示し、図４は、各トラックの全域に渡って隙間無くグルーブ及びランド等が作り込まれた比較例における、ガイド層１２のトラック部分を示す。図５は、実施例における「ウォブル及び一部切欠き構造」を有すると共にウォブリングが施されたトラック部分を示し、図６は、実施例における「ウォブル及び狭義のランドプリピット」を有すると共にウォブリングが施されたトラック部分を示す。【０１５９】
図３に示すように、ガイド層１２には、図１におけるトラックＴＲの具体例に相当する、グルーブトラックＧＴが形成されている。グルーブトラックＧＴは、例えば光反射性の材料からなる薄膜である反射膜１２ａが、凹凸溝が形成された基材としての透明膜１２ｃ上に成膜され、更に保護膜としての透明又は不透明な膜１２ｂで埋められることで形成される。図３中で上側に位置する基材としての透明膜１２ｃに掘られた溝という意味で、グルーブトラックＧＴ或いはグルーブは、図２中で、上側に凸状に形成されている。或いは逆に、グルーブトラックＧＴは、反射膜１２ａが、凹凸溝が形成された基材としての透明又は不透明な膜１２ｂ上に成膜され、更に保護膜としての膜１２ｃで埋められることで形成される。【０１６０】
グルーブトラックＧＴは、ウォブルＷＢを側壁に有する。言い換えれば、グルーブトラックＧＴは、側壁がトラック方向に沿ってウォブリング（蛇行）するように形成されている。【０１６１】
図３において、グルーブは局所的にのみ設けられているが、一点差線で示した各グルーブトラックＧＴは、記録後に記録層１３（図１参照）が有することになる記録情報がなす記録済情報トラックのトラックピッチに対応するトラックピッチで配置されている。ここで、既にガイド層１２のトラックＴＲに沿って記録済である、トラックＴＲに沿った記録情報の記録層１３上における配列を、以下適宜、単に「記録済情報トラック」と呼ぶ。情報記録済トラックは、物理的には、記録時に第２ビームＬＢ２の照射により記録層１３の記録面に形成された、蛍光強度が変化した部分、屈折率が変化した部分、相変化部分、色素変化部分などの、ガイド層１２のトラックＴＲに沿った一連のつらなりと言える。即ち図３中では、グルーブが何ら形成されていないグルーブトラックＧＴについても、所定頻度でトラッキングエラーを発生可能な頻度にてグルーブが形成されている。即ち、図３に図示されていない径方向位置及びトラック方向位置においては、グルーブトラックＧＴ上にグルーブが適宜に形成されており、周回に渡って何らのグルーブが形成されていないグルーブトラックＧＴは、基本的に存在しない。【０１６２】
図４において、比較例では、記録後に記録層１３（図１参照）が有することになる記録情報がなす記録済情報トラックのトラックピッチに対応するトラックピッチで、トラック方向及び径方向の全域に渡って、グルーブ及びランドが形成されている。伝統的なＤＶＤ、ＢＲディスク等では、グルーブトラックＧＴは、記録層がガイド層を兼ねているために又は記録層の記録済情報トラックとガイド層のガイドトラックとが一対一対応しているために、ガイド層についても、図４の比較例の如く構成されている。【０１６３】
これに対して、図３の具体例では、グルーブは、グルーブトラックＧＴ上において、トラック方向に沿っての全域に渡って形成されていない。グルーブは、径方向についても、相互に隣接するグルーブトラックＧＴ上に形成されていない。このような配置（より具体的にはトラック方向及び径方向についての配置間隔）の定量的な説明及びそれによる作用効果は、後に図７〜図１５を参照して詳述する。【０１６４】
なお図５に示すように、ガイド層１２（図１参照）に設けられるグルーブトラックには、一部切欠き構造からなるグルーブノッチＧＮ１が作り込まれてもよい。切欠きとは、グルーブトラックの一つのトラック幅に渡って切り欠かれてなる鏡面である。【０１６５】
或いは図６に示すように、ランドパートＬＰには、ランドプリピットＬＰＰ１が作り込まれてもよい。なお、図４の比較例にも、ランドプリピットＬＰＰ１が作り込まれている。図５のグルーブノッチＧＮ１と図６のＬＰＰ１は、ガイド層再生時において、真逆に表れるが同様の効果を持つ。【０１６６】
加えて、図６中では、プリピットが何ら形成されていないランドパートＬＰについても、適宜に、プリピットが形成されてもよい。【０１６７】
ここで図７及び図８を参照して、このようにガイド層１２のトラックＴＲがトラッキングエラー信号（或いはその元となるウォブル信号）を担持する物理構造をトラックＴＲに構築する際における、注意点について検討を加える。【０１６８】
図７に示すように、光スポットＳＰ１が、トラックピッチに対して相対的に大きくない、低密度記録用のトラッキングを行う場合を想定する。この場合、光スポットＳＰ１は（トラックピッチ０．５μｍに対し）直径１μｍ程度であり、自らが集光され追従しているトラックＴＲ２以外のトラックＴＲ１及びＴＲ３上の信号のノイズとしての影響を殆ど又は実践上全く受けない。即ち、全てのトラックＴＲ１、ＴＲ２、ＴＲ３、…に対し、それらの径方向及びトラック方向に隙間無く、グルーブ構造やウォブル構造（図３参照）、更に、一部切欠き構造（図５参照）、プリピット構造（図６参照）を与えても、トラッキングエラー信号（或いはその元となるウォブル信号）にクロストークが発生しない。このため、トラッキングを実行可能となる。【０１６９】
図８に示すように、これに対し、光スポットＳＰ１が、トラックピッチに対して相対的に大きい、高密度記録用のトラッキングを行う場合を想定する。この場合、光スポットＳＰ１は（トラックピッチ０．２５μｍに対し）直径１μｍ程度であり、自らが集光され追従しているトラックＴＲ３以外のトラックＴＲ１、ＴＲ２、ＴＲ４及びＴＲ５上の信号のノイズとしての影響を顕著に受ける。即ち、全てのトラックＴＲ１、ＴＲ２、ＴＲ３、…に対し、それらの径方向及びトラック方向に隙間無く、グルーブ構造やウォブル構造等（図３〜図６参照）を与えてしまうと、トラッキングエラー信号にクロストークが顕著に発生する。このため、トラッキングを実行不可能となる。【０１７０】
特に、本実施例の如くＣＬＶ方式であると、ＣＡＶ方式の場合と異なり、径方向位置に応じて、隣接する複数のトラックＴＲ上におけるアドレス位置関係（アドレスの差）が変化するので、仮に一の場所でトラッキング可能でも、他の場所で（即ち、径方向に隣接する他の信号発生領域の接近の度合いが強くなる箇所では）トラッキングが不可能となる可能性が顕著に出てきてしまう。【０１７１】
これは、図８に示すように、ランドプリピットＬＰＰ１が近隣に存在する場合にも、同様である。即ち、トラッキング対象となっているトラックＴＲ３に設けられえたランドプリピットＬＰＰ１に対して、他のトラックＴＲ５に設けられた図中、破線の円で囲まれたランドプリピットＬＰＰ１に記録されたプリピット信号（即ち、ランドプリピット信号）が、ノイズとして影響する。この結果、いずれの位置にてもランドプリピットＬＰＰ１が検出不可能となるか、又は径方向位置やトラック方向位置によっては、ランドプリピットＬＰＰ１が検出不可能となる。言い換えれば、プリピット信号によるアドレス情報等が検出不可能となる。このように、隣接するトラックのみならず、２トラックだけ或いはそれ以上離れたトラック同士のクロストークについても低減する配置が求められる。【０１７２】
図８に示した如き状況は、記録層１３に高密度記録に対応する第２ビームＬＢ２（例えば、ＢＲディスクと同じく青色レーザ）を用いて、記録後に情報記録トラックが狭ピッチになるように、狭ピッチのトラックＴＲをガイド層１２に予め形成すると共に、ガイド層１２に対しては低密度記録に対応する第１ビームＬＢ１（例えば、ＤＶＤと同じく赤色レーザ）を用いる場合には、必然的に発生してしまう。即ち、ガイド層１２に対して、第１ビームＬＢ１を利用し、且つ記録層１３に対して、第１ビームよりも小径の第２ビームＬＢ２を利用する場合には、必然的に発生する技術的な制約であると言える。仮に、ガイド層１２に、第１光ビームＬＢ１に対応するピッチのトラックＴＲを形成したのでは、記録層１３での高密度記録用のトラッキングを行う役には全く立たない。【０１７３】
しかるに、所定の周波数帯域でトラッキングを行うという特定目的は、いずれかのトラックＴＲにていずれかのタイミングにてトラッキングエラー信号を発生させる必要があるにせよ、トラッキングエラー信号を検出するためのウォブル構造或いはプリピット構造（図３〜図６参照）を、トラックＴＲ上に、トラック方向に連続して形成しなくても、達成可能である。即ち、所定の周波数帯域でトラッキングサーボが動作可能となる最長の距離以下となる配置間隔（即ち、配置ピッチ）であれば、トラックＴＲ上におけるトラック方向に沿った全域に、トラッキングエラー信号が発生するようにウォブル構造等（図３〜図６参照）を施しておく必要はない。しかも、相隣接する複数のトラックＴＲについて言えば、この特定目的の達成のために、径方向に揃った位置（即ち同一位相又は同一位相となる位置若しくは領域、言い換えれば、光ディスク１１上における同一角度又は同一角度となる位置若しくは領域）の夫々に、トラッキングエラーを発生させるウォブル構造を整列させておく必要もない。【０１７４】
加えて、トラッキングエラー信号のみならず、ランドプリピットＬＰＰ１などのプリピットを用いての、アドレス情報等の他の記録制御用或いは再生制御用の制御情報を構成するプリピット信号を検出するという特定目的のためにも、トラックＴＲ上におけるトラック方向に沿った全域に、ウォブル構造或いはプリピット構造等（図３〜図６参照）を作り込んでおく必要はない。例えば、未記録トラックにスタッフィングビットを詰めるかのように、予め何らかの情報をトラック方向や径方向にくまなく記録しておかなくても、制御情報の検出は可能である。【０１７５】
そこで本実施例では特に、トラックＴＲには、主にトラッキングを可能ならしめるという特定目的を達成するために、複数のサーボ用領域が以下に説明する如くにトラック方向及び径方向の双方について、離散的に設けられる。【０１７６】
次に図９及び図１０を参照して、ガイド層１２における、グルーブ領域、目印領域、及びパターン領域という三つの領域の物理的な構成について詳細に説明する。【０１７７】
図９に示すように、ガイド層１２には、「領域１」として、鏡面領域２１と、「領域２」として、「サーボ用領域」を兼ねると共に検出パターンの目印情報を発生可能な目印領域２２と、「領域３」として、チルト検出信号を発生可能な所定パターン２３ａを持つパターン領域２３とが配置されている。【０１７８】
ここに、鏡面領域２１には、ストレートグルーブ又はストレートランドが形成されてもよく、この場合には、鏡面領域２１を「グルーブ領域」と呼ぶこともできる。或いは、鏡面領域２１における、他の目印領域２２やパターン領域２３を読み込む際における緩衝作用に着目すれば、鏡面領域２１を「緩衝領域」と呼ぶこともでき、この場合には、本発明に係る「緩衝領域」の一例ということになる。【０１７９】
図１０に示すように、ガイド層１２上では、７本の隣接するトラックＴＲが一つのグループＧＲとされ、それらの中央のトラックが、チルト検出用のセンタートラック２３ＴＲとされている。目印領域２２及びパターン領域２３は、センタートラック２３ＴＲ上に相前後して配列されている。なお、目印領域２２は、トラッキングエラー信号を検出するためのガイド領域或いはサーボ用領域としても機能するので、センタートラック２３ＴＲ以外のトラックＴＲにも設けられている。パターン領域２３は、７本の隣接トラックＴＲ（即ち、１つのグループＧＲを構成する７本のトラックＴＲ）に跨る所定パターン２３ａを有する。【０１８０】
図９において、鏡面領域２１は、本発明に係る「緩衝領域」の一例であり、ストレートグルーブを有する領域である。鏡面領域２１は、トラック方向に、複数の目印領域２２の各々における先頭部の前と最後部の後ろに夫々隣接配置されている。【０１８１】
鏡面領域２１における緩衝作用によって、情報記録時等にサーボ系において、目印領域２２からの信号検出に対する準備期間が与えられる。特に、情報記録時においてトラッキングオンの状態で、第１ビームＬＢ１を目印領域２２に突入させられる。即ち、目印領域２２の先頭側に配置される鏡面領域２１が、トラッキングサーボを安定動作させるために極めて効果的な準備期間を与えてくれる。【０１８２】
図９及び図１０において、目印領域２２は、図３〜図５に示した如き、ウォブル構造やプリピット構造が予め作り込まれる領域、即ちトラッキングエラー信号やプリピット信号を検出可能な領域である。目印領域２２は、トラック方向（図９中、左右方向）に、相互に、予め設定された所定距離又はそれ未満の距離を、配置間隔（即ち配置ピッチ）として離散的に配置されている。しかも、複数の目印領域２２は、径方向（即ち図９中、上下方向）に、相隣接する複数のトラックＴＲに渡って、該複数のトラックＴＲ間で積極的に或いは能動的に左右に（即ちトラック方向に沿って）ずらされて配置されている。【０１８３】
目印情報は、センタートラック２３ＴＲ上にて、パターン領域２３の直前に配置されており、そのパターン領域２３が直後に来る旨を示す。よって、記録時又は再生時に、先ず目印領域２２にて目印情報が検出されると、その後遅延無くパターン領域２３のパターン信号が到来することが判明する。或いは、目印情報は、センタートラック２３ＴＲ上にて、後に来るパターン領域２３をサンプリングするべきタイミング又は後に来るパターン領域２３のトラック方向に沿って内周から外周又は外周から内周へ向うアドレス位置を示す。よって、記録時又は再生時に、先ず目印領域２２にて目印情報が検出されると、その後、どのタイミングで又はどのアドレス位置にて、パターン信号が到来するかが判明する。【０１８４】
仮に、第１光ビームが、複数のトラックからなる１つのまとまったセンタートラック上にいない場合は、パターン領域２３内では、プッシュプル信号で検出されたウォブル信号がオフセットを持って検出される。よって、第１光ビームがセンタートラック２３ＴＲ上にあるか否かが認識できる。【０１８５】
図９及び図１０において、パターン領域２３は、本発明に係る「信号検出用領域」の一例であり、センタートラック２３ＴＲ（図９中、左右に延在する一点鎖線で示されたトラック）にて、特定種類のパターン信号が検出可能なように、径方向（図９中、上下方向）に相隣接する７本のトラックに跨る一まとまりの所定パターン２３ａを有する。【０１８６】
逆に、センタートラック２３ＴＲ以外のトラック部分については、その直上に第１光ビームによる第１光スポットＬＳ１の中心が乗っている機会にも、敢えて、パターン信号の検出対象から除外されている。【０１８７】
パターン領域２３は、トラック方向（図９中、左右方向）に離散的に配置されており、径方向（図９中、上下方向）にも離散的に配置されている。このため、光ビームのスポットが相隣接する７本のトラックに跨るまでトラック密度を高めても、検出されるパターン信号のクロストークにより、パターン信号が検出不能となってしまう事態が回避可能となる。【０１８８】
パターン信号として、チルトエラー信号などのチルト検出信号が発生可能なように、所定パターン２３ａを予め作り込んであるので、チルト発生時に、チルト検出信号における大きな信号変化が得られる。【０１８９】
所定パターン２３ａは、局所的な凹凸をなす短く切り欠かれたグルーブやランド、或いはグルーブトラック又はランドトラックに形成された短いピットやエンボス或いはエンボスピットの複数片から形成されている。例えば、７本のトラックに跨る場合には、片側に５個ずつで両側あわせて１０個のエンボスピット等の集合などから構成される。所定パターン２３ａは、光スポットＬＳ１の外輪形状に概ね適合するように形成されており、明環ＬＳ１ａが発生した場合に、概ねそれに沿うことになる形状を有する。所定パターン２３ａにウォブルが組み合わされていてもよい。【０１９０】
なお、パターン領域２３における所定パターン２３ａは、チルト検出信号以外にも、ディスクの偏心補正用の偏心信号、ディスク面の傾き補正用の傾き信号、光学系の収差補正用の収差信号、光ビームの位相差補正用の位相差信号、ゆがみの補正用のゆがみ信号、光吸収補正用の光吸収信号、ストラテジーの設定用のストラテジー信号など、各種の信号が、パターン信号として検出されるように構成されてよい。【０１９１】
ここで、チルト検出信号に基づくチルト補正を実行可能とするといった特定目的は、いずれかのトラックＴＲにてチルト検出信号を検出可能とする必要があるにせよ、チルト検出信号を全てのトラックＴＲに連続して形成しなくても、達成可能である。即ち、チルトサーボをロックしておく期間毎に一度ずつ、チルト検出信号が検出されるといったように、チルト補正を行う頻度或いは期間に応じて、チルト検出信号が検出されれば、上記特定目的は達成可能である。【０１９２】
よって、一方で、１つのＧＲのトラック７本おきに、チルト検出信号が取得できれば、チルト補正を実行可能である。他方、トラックＴＲに沿った領域については、多少の間隔を空けて或いはいずれかの位相（例えば、ディスク上の角度）をおいて、チルト検出信号が取得できれば、チルト補正を実行可能である。結局、１つのグループＧＲの７本おきに、それらを代表するセンタートラック２３ＴＲにて、チルト検出信号が断続的に得られれば、十分ということになる。【０１９３】
本実施例では、第１ビームＬＢ１（例えば、赤色レーザ）が、第２ビームＬＢ２（例えば青色レーザ）に比べてビーム径が大きいことが、第１ビームＬＢ１を用いて、１つのグループＧＲを構成する７本のトラックＴＲに跨る一まとまりの所定パターン２３ａを検出するのに、極めて好都合となっている。【０１９４】
このようにチルト検出パターンを有するパターン領域２３については、自由度のある配置が可能である。加えて、チルト検出信号以外のパターン信号を、チルト補正以外の処理に対応させて設けることで、チルト補正と共に他の処理を並行して或いは適宜に実行することも可能となる。【０１９５】
しかも本実施例では特に、パターン領域２３の、トラック方向におけるセンタートラック２３ＴＲの前に、パターン領域２３が後に来る旨を示す目印情報を担持する目印領域２２が、配置されている。目印情報は、目印領域２２内に離散的に作り込まれたウォブルやプリピットなどに応じたウォブル信号やプリピット信号などにより再生される情報である。【０１９６】
このため、チルト検出信号の読み込みを、目印情報の到来を元に、簡単にして確実に実行可能となる。例えば目印情報の検出後にチルト検出信号の検出開始準備や、更にチルト検出信号に基づくチルト補正の開始準備を始めることが可能となる。例えば、チルト検出信号と目印情報との位相関係や間隔を予め規定しておくことで、目印情報から、チルト検出信号を検出するべきサンプリングタイミングを容易にして特定可能となる。或いは、目印情報にチルト検出信号が記録されているアドレス位置を持たせておけば、チルト検出信号を検出すべきサンプリングタイミングを容易にして特定可能となる。【０１９７】
本実施例では、トラックＴＲ上におけるチルト検出信号のトラック方向の長さと、記録層１３に夫々記録されることになるデータのフォーマットにおける、例えばＥＣＣブロック、ＲＵＢ（Recording Unit Block）、ＡＤＩＰ単位の如き、構成単位のトラック方向の長さとが、所定の整数比となるように構成するとよい。このようにすると、チルト検出信号の発生頻度と、トラックＴＲに対応する記録面内位置における記録層１３にデータを記録する周期とを、半径位置に寄らずに或いはトラック位置に寄らずに、一定の関係に維持することが容易となる。特にＣＬＶ方式を採用する場合、径位置によって、角速度が変化するにも拘らず、任意の径位置にて、検出されたチルト検出信号に基づき安定したチルト補正が実行可能となる。また、ゾーンＣＡＶ方式を採用する場合にも、ゾーン毎に問題なく、検出されたチルト検出信号に基づき安定したチルト補正が実行可能となる。【０１９８】
次に図１１〜図１３を参照して、ガイド層１２における、目印領域２２及びパターン領域２３の具体的なデータ構成について詳細に説明する。【０１９９】
なお、この例では、目印領域２２及びパターン領域２３に記録されている信号は、スロットの単位で配置されている。ここに「スロット（Ｓｌｏｔ）」とは、トラックＴＲがトラック方向に区分されてなる論理的な区画若しくは区分、又は物理的な区画若しくは区分である。スロットは、典型的には、トラック方向に隙間無く連続して配列されており且つ径方向にも隙間なく或いは相隣接して配列されている。この場合、トラッキングサーボ、チルトサーボ等の制御をガイド層１２にて間接的に行うことから、記録層１３におけるデータフォーマットも、スロットと一定の関係をもつようにすると制御が容易となる。【０２００】
図１１は、ガイド層１２における、目印領域２２及びパターン領域２３におけるプリフォーマットの一具体例を示す。【０２０１】
図１１において、１つのＲＵＢは、ＢＤ−Ｒ（Ｂｌｕｅ ｒａｙ Ｄｉｓｃ−Ｒｅｃｏｒｄａｂｌｅ：一回記録可能なブルーレイディスク）のフォーマットに相当して構成されている。【０２０２】
具体的には、１つのＲＵＢは、物理的には、（２４８×（２×２８））個の物理クラスター（Ｐｈｙｓｉｃａｌ Ｃｌｕｓｔｅｒ）から構成され、論理的には、三つのＡＤＩＰワード（ＡＤＩＰ word ＮＯ．１〜ＮＯ．３）から構成される。【０２０３】
１つのＡＤＩＰワードは、８３個のＡＤＩＰ単位（ＡＤＩＰ ｕｎｉｔｓ）から構成される。１つのＡＤＩＰ単位は、５６ｗｂｌ（ウォブル）から構成され、これは２つの記録フレーム（Ｒｅｃｏｒｄｉｎｇ ｆｒａｍe）に相当する。記録されるデータは、１５個のコードワード（ｃｏｄｅ ｗｏｒｄ）、即ち９ｎｉｂｂｌｅｓ（ニブル）の単位となる。従って、１つのＲＵＢは、１３９４４ウォブルに相当する区間となる。【０２０４】
本実施例では、１ＲＵＢに含まれる、６個の（即ち、Ｎｏ．１〜Ｎｏ．６の）アドレスワード（Ａｄｄｒｅｓｓ  ｗｏｒｄ）は夫々、８６個の（即ち、Ａ１〜Ａ８６の）アドレスサブユニット（Ａｄｄｒｅｓｓ  ｓｕｂ‐ｕｎｉｔ）を含む。各アドレスワードの先頭には、ゼロユニット（Ｚｅｒｏ ｕｎｉｔ）が配置されている。【０２０５】
更に各アドレスサブユニットは、６つのスロットから構成されており、最初の５つのスロット（Ａ  Ｓｌｏｔ）が、アドレス用スロット（即ち、「プリフォーマットアドレス用スロット」）に割り当てられる。これに続く１つのスロット（Ｂ  Ｓｌｏｔ）がチルト検出用スロット（即ち、チルト検出パターン用スロット）に割り当てられる。即ち、１つのアドレスサブユニットは、５個のＡ  Ｓｌｏｔと１個のＢ  Ｓｌｏｔの合計７スロットに相当するので、合計で、９×６＝５４ｗｂｌから構成されている。【０２０６】
よって、本例では、１つのＲＵＢの長さは、２｛（５４×８６）×３＋（４×３）｝＝１３９４４より、１３９４４ｗｂｌに相当している。また、本例では、各スロットの先頭に位置する１つのウォブルの長さＤは、Ｄ＝１ｗｂｌ＞１．２μｍ（光スポットの最大径）とされている。【０２０７】
このように、プリアドレス構成例について言えば、１つのＲＵＢ相当に対して、６アドレス構成であり、各々のアドレスは、８６ユニットより構成されている。そして、アドレスデータ（１  Ｓｌｏｔ  Ｄａｔａ）×８６Ｕｎｉｔｓ＝２ビット×８６ユニット＝１７２ビットとなる。【０２０８】
このように１ＲＵＢ単位での構成例によれば、他の記録層１３への記録データフォーマットが、例えばＢＤ−Ｒフォーマット準拠であるとした場合、目印領域２２に設けるウォブルの周期は、記録層１３のデータフォーマットの構成単位と所定の整数比の関係にある。パターン領域２３の区間及び配置する位置も、ウォブルの周期と所定の関係になるように配置されている。このため、目印領域２２の目印領域から検出したウォブル信号から、パターン領域２３の所定の位置を特定できる。よって、後述の記録再生装置が、特定パラメータ検出エラー検出をサンプルするタイミングを容易に作成することができる。【０２０９】
特に、ガイド層１２の読取用の第１ビームＬＢ１が、ＢＤ−Ｒフォーマット用の読取ビームより低密度用であるために発生する新たな問題を解決する手段を講じたとしても、記録用プリフォーマットとして必要なプリアドレス等のデータを、所望の情報量形成しておくことができる。１ユニット内に、５スロットとビーム径による影響を除去するための緩衝領域Ｄ（即ち、鏡面領域２１の一部）を設けたので、このプリフォーマットデータの取得に際し、隣接トラックに配置された目印領域２２及びパターン領域２３の影響を除去することができ、ピックアップ１０２のビーム径による影響も除去することができ、安定的にプリフォーマット情報を取得することができる。【０２１０】
図１２において、目印領域２２には、目印情報として、スロット単位でウォブルが形成されている。サンプルサーボマーク３００Ｓも、目印領域２２における図中左側の領域（サーボ用領域を兼ねる目印領域２２）に広く分散される形で、各トラックＴＲ（Ｔｒａｃｋ１〜Ｔｒａｃｋ７）に、トラック方向（図９中、左右方向）に離散的に且つ径方向（図中、上下方向）に２トラック分の間隔を隔てて、スロット単位で形成されている。【０２１１】
目印領域２２内には、このようにサンプルサーボマーク３００Ｓが所定規則で広く分散配置された形で、スロット３００Ａ（即ち「Ａ  Ｓｌｏｔ（図１１参照）」）が配置されており、パターン領域２３内には、スロット３００Ｂ（即ち「Ｂ  Ｓｌｏｔ（図１１参照）が、概ね半径方向に揃う形で、配置されている。パターン領域２３の前後には、３ウォブル分だけ、重なりエリア４００として確保されている。【０２１２】
図１２において、パターン領域２３には、スロット３００Ｂにパターン信号として、チルト検出用パターンがスロット単位で形成されている。パターン領域２３内では、チルト検出用パターンとして、７本のトラックに跨る形で一つのパターンが構築されている。図中、右下に矩形内に示されたパターン領域２３として示されるように、本例では、目印領域２２の直ぐ後に、光スポットＬＳ１の外輪円周の上半分（即ち、明環ＬＳ１ａ）をカバーするパターンが形成され、それに続いて若干の距離を隔てて、光スポットＬＳ１の外輪円周の下半分（即ち、明環ＬＳ１ａ）をカバーするパターンが形成されている。これらの二つのパターンから、一つのチルト検出パターンが構築されている。【０２１３】
ここで、図１２を参照して、スロット３００Ａとの関係で、スロット３００Ｂに必要とされる条件について検討を加える。【０２１４】
図１２に示すように、先ず、隣接するトラックの長さは、２ΠＰ（Ｐ：トラックピッチ）だけ異なるため、ＣＬＶでの隣接する部分は、２ΠＰズレていく。ここで、Ｐ＝０．３２[μｍ]とすると、
Ｘ＝２ΠＰ≒２．０１[μｍ]、（一般には、Ｘ＝２Π（ｒ＋Ｐ）−２Πｒ）である。【０２１５】
他方で、ＢＤフォーマット相当のウォブル1波の長さは、
ＷＬ＝６９(Channel bit)×０．０７４５［μｍ］＝５．１４０５［μｍ］である。【０２１６】
チルト検出パターン配置のため、７トラックを１つのまとまりとすると、センタートラックからのズレ量は、３トラック離れたズレ量（Δｌ）に相当するので、
Δｌ＝２ΠＰ×３≒６．０３μｍである。【０２１７】
よって、スロット３００Ｂに配置するチルト検出パターンである所定パターン２３ａとの関係で、スロット３００Ｂ内で、前後にズレ量Δｌだけ離す必要がある。【０２１８】
本実施例では、ウォブル周波数をＢＤ相当の２倍としたので、
（ＷＬ／２）＝５．１４０５［μｍ］／２＝２．５７［μｍ］となって、３ウォブル分（＞ Δｌ）を、重なりエリアとして確保すればよい。【０２１９】
従って、スロット３００Ｂは、少なくとも７ロケーション以上必要（本実施例では、９ロケーション必要）となる。【０２２０】
続いて、スロット３００Ｂ（即ち「Ｂ  Ｓｌｏｔ（図１１参照）のスロット数の条件の一般化を行う。【０２２１】
先ず、上述の条件を一般化すると、チルト検出パターンのトラック方向の拡がりをＴトラック（Ｔ＝２ｋ−１、ここでｋは整数）とし、ウォブル１波の長さをＷWとすると、
（Δｌ／ＷW）＝（２ΠＰ×ｋ）／ＷW＝ｍ  余り  Ｓ  となる。余りを切り上げて、（ｍ＋１）ウォブルを、重なりエリアとして確保する。【０２２２】
従って、スロットＢのロケーション数は、少なくとも{２×（ｍ＋１）＋１}以上確保する必要がある。本実施例では、Ｋ＝２、ｍ＝２となっている
次に、図１３を参照して、スロット３００Ａに必要とされる条件について検討を加える。ここに、図１３は、スロット３００Ａ（即ち「Ａ  Ｓｌｏｔ（図１１参照）」）の１ユニット内の適応配置の一例を示している。【０２２３】
図１３に示すように、１ユニットは、９ロケーションから構成され、目印領域２２は、少なくとも１つのスロットに適応配置される。目印領域２２を配置する際の条件として、１トラック前（内側の隣接トラック）、及び２トラック前（１トラック前の内側の隣接トラック）に既に配置された目印領域２２と、半径方向において重ならないように、例えばスロット３００Ａ−１については、そこからの点線矢印で示したように、スロット「Ｓｌｏｔ１」からスロット「Ｓｌｏｔ３」に適応配置すればよい。例えばスロット３００Ａ−２については、そこからの点線矢印で示したように、スロット「Ｓｌｏｔ１」からスロット「Ｓｌｏｔ５」に適応配置すればよい。【０２２４】
このように、目印領域２２（即ち、ウォブル及びランドプリピット構造を持つ領域）とパターン領域２３（即ち、複数トラックに跨って所定パターンを持つ領域）とは、ウォブルの１周期を単位として、その整数倍として、スロット３００Ａについては、９ウォブルから成る５スロット構成とし、スロット３００Ｂについては、９ウォブルから成る１スロット構成としている。このため、これら二種類のスロットを所定の繰返しで配置することができ、しかも、これら二種類のスロットは異なる条件を満足する形式でそれぞれ独立に構成することができる。【０２２５】
特に、スロット３００Ａ（即ち「Ａ  Ｓｌｏｔ」）は、プリフォーマットアドレス用データを配置するための条件を満たすように５スロット構成としている。他方、スロット３００Ｂ（即ち「Ｂ  Ｓｌｏｔ」）は、チルト検出用パターンを配置するための条件を満たすように構成している。【０２２６】
ここで、Ａスロットは、５スロット構成として、隣接するトラック、及び１トラック離れたトラック（隣接するトラックに隣接するトラック）と隣り合う位置にアドレス用データの配置がされないよう、所望のプリフォーマットアドレスデータを、５スロットのうちから１スロットを選択して適応配置されている。これにより、追従しているトラックの別のトラックからのプリフォーマットデータを同時に読込むことがないよう配置される。【０２２７】
これに対して、スロット３００Ｂ（即ち「Ｂ  Ｓｌｏｔ」）は、１スロット構成として、７トラックを１つのまとまりとして、所定のチルト検出パターンを形成するために配置される。ここで、トラックがＣＬＶ構成となっているため、１周の長さが異なっているため、隣合うスロットの位置は、ズレを生じる。このため、スロット３００Ａのプリフォーマットデータを取得する際に、スロットからの影響を受けないように、スロット３００Ｂは、チルト検出パターンを配置するセンタースロットの前後に、本実施例では、３ロケーション分の「緩衝領域」としての鏡面領域２１を設けている。【０２２８】
図１２及び図１３に示した如き関係で、スロット３００Ａ及びスロット３００Ｂを配置することで、互いに異なる条件で配置したフォーマットに影響されることがなくなる。よって、これら二種類のスロットを、それぞれの目的に応じて、データの作り込み・記録用に適宜に用いることが可能となる。【０２２９】
図１１から図１３において、目印領域２２におけるウォブルの周期は、記録層１３に記録されるデータフォーマットの構成単位と所定の整数比の関係にする。本実施例では、目印領域２２：１ＲＵＢ＝９：１３９４４×２に設定される。目印領域２２とパターン領域２３の関係も所定の整数比とする。本実施例では、目印領域２２：パターン領域２３＝１：１とされている。【０２３０】
目印情報は、パターン領域２３のセンタートラック２３ＴＲの直前の目印領域２２に配置される。なお、目印情報を、パターン領域のアドレス位置やサンプリングタイミング或いは到来タイミングを示すように構成すれば、パターン領域２３のセンタートラック２３ＴＲの直前に限らず、図１２中、サンプルサーボマーク３００Ｓが配置されているいずれの位置に配置されることも可能である。【０２３１】
パターン領域２３は、７トラックを一つのグループＧＲとして、センタートラック２３ＴＲにおいて、所望のチルトエラーが検出可能なように、パターン領域２３の所定の特定パラメータ検出パターンが形成されている（図１２参照）。このため、パターン領域３のセンタートラック２３ＴＲを追従すると、その位置での所定の特定パラメータ検出エラーが検出可能となる。【０２３２】
図１２において、複数トラックを１つのグループＧＲとする際に、そのトラック数は、トラックピッチ及び第１ビームＬＢ１のビーム径及びピックアップに対してディスクが傾いた場合の第１ビームＬＢ１のガイド層面上における拡がり等を考慮して決定された結果として、本実施例では７トラックとなっている。パターン領域２３に作り込まれるチルト検出用パターンは、トラックＴＲに対して左右対称の検出となるので、一般的には、トラック数は奇数となる。【０２３３】
このように目印領域２２は、パターン領域２３に属する７本のトラックＴＲのうち、特定パラメータ検出パターンによって、特定パラメータ検出エラーが検出可能なセンタートラックＴＲの、直前に配置されるので、読込みビームとしての第１ビームＬＢ１が、特定パラメータ検出エラー検出可能なセンタートラックＴＲに位置していることが認識できる。よって、特定パラメータ検出エラー検出のサンプルタイミングを容易に作成することができる。【０２３４】
他方、第１ビームＬＢ１が、複数のトラックから成る１つのまとまったパターン領域２３のセンタートラックＴＲにいない場合は、プッシュプル（Push-Pull）信号で検出されたウォブル信号がオフセットを持って検出されるので、第１ビームＬＢ１が、センタートラックＴＲにいないことを認識できる。【０２３５】
加えて、本実施例では、トラック方向及び径方向の双方について、離間したスロット内に、サンプルサーボマーク３００Ｓを配置したので（図１２参照）、第１ビームＬＢ１でガイド層１２のトラックＴＲを追従させながら、記録層１３へデータを記録させる際、プッシュプル信号をサンプリングすることによって又は位相差法（ＤＰＤ）により位相差信号をサンプリングすることによって、安定的に、連続したトラッキングエラー信号を生成することができる。例えば、左右の分割ディテクターからの差分であるプッシュプル信号の高域成分をＬＰＦ(Ｌｏｗ  Ｐａｓｓ  Ｆｉｌｔｅｒ)によって除去すれば、ウォブル成分及び不要な高域ノイズ成分を除去することが可能となる。ここで、偏心成分を含むトラッキングエラー信号を内周から外周に亘ってサンプルすることにより、連続して取得することが可能となり、記録層１３へ記録する際のトラッキングエラー信号として利用できる。【０２３６】
図１４に示すように、１スロット内におけるデータのアサイン（割り当て）の一例では、各スロットの９ビットのうち、最初の２ビット又は３ビットが、ＳＹＮＣ信号（即ち、トラッキングエラー信号を検出可能とするシンク信号）に割り当てられる。続く３ビットがスロット番号（Ｓｌｏｔ ＮＯ.）に割り当てられ、続く２ビットがデータ（即ち、制御用データ、アドレスデータなど）に割り当てられる。例えば、この２ビットのデータにより、データ値（Ｄａｔａ）「０」〜「３」が（次のスロット番号が「５」である場合に）、図中下半面に示した如きビット配列として夫々表現される。【０２３７】
因みに、ＥＣＣブロックの構成については、例えば、１７２bits中１６０ｂｉｔｓ（＝８ｂｉｔｓ×２０）を使用して、１０Ｂｙｔｅｓ  ｒａｗ  ｄａｔaとして、１０ＢｙｔｅｓをＥＣＣコードとして利用する。【０２３８】
例えば、符号Ｃ０、…、Ｃ１９(Ｐａｒｉｔｙ  Ｃ１０、…、Ｃ１９)について、以下のように、Ｒｅｅｄ‐Ｓｏｌｏｍｏｎコードを生成する。【０２３９】
【数１】
2011125160.tif 000003
＝{Ｉ(Ｘ)・Ｘ}ｍｏｄ{ＧＥ(Ｘ)}【０２４０】
【数２】
2011125160.tif 000004
【０２４１】
【数３】
2011125160.tif 000005
Ｇｐ(ｘ)＝Ｘ８＋Ｘ４＋Ｘ３＋Ｘ２＋１
なお、本例では、１ウォブルは、６９×２＝１３８チャネルビットとされている。各スロットの最初の１つのウォブル（言い換えれば、１ビット）が、鏡面領域２１（図９参照）に割り当てられてよい。【０２４２】
以上図１〜図１５にて詳細に説明したように、本実施例のトラック形成方法（図６参照）によれば、記録層１３の記録済情報トラックが、内周から外周に向かって連続的に、螺旋状に形成されるように、記録済情報トラックに相当する位置に、例えば離散的に配置されたサンプルサーボマーク（図１２及び図１３参照）によりガイド層１２のトラックＴＲが形成される場合に、目印領域２２とパターン領域２３とが、所定の位置又は間隔で、離散的に形成される（図７参照）。このため、後述の記録再生装置による特定パラメータ検出エラーの検出が、光ディスク１１の全面のどこにおいても可能となる。この結果、各記録層１３において記録若しくは再生できるトラックピッチや記録線密度（例えば、線記録密度、ピットピッチ或いは情報転送速度（即ち、記録線密度×移動速度））を、多層型の光ディスク１１における本来の目的である「高密度記録」と言える程度にまで高めつつ、記録層１３とは別のガイド層１２におけるチルト検出信号の安定的且つ効率的な取得により、高精度のチルト検出、高精度のチルト補正の施行が可能となる。【０２４３】
特に図１２及び図１３に示した実施例では、トラック方向及び径方向の双方について、離間したスロット内に、サンプルサーボマーク３００Ｓを配置したので、第１ビームＬＢ１でガイド層１２のトラックＴＲを追従させながら、記録層１３へデータを記録させる際、プッシュプル信号をサンプリングすることによって又は位相差法（ＤＰＤ）により位相差信号をサンプリングすることによって、安定的に、連続したトラッキングエラー信号を生成することができる。例えば、左右の分割ディテクターからの差分であるプッシュプル信号の高域成分をＬＰＦ(Ｌｏｗ  Ｐａｓｓ  Ｆｉｌｔｅｒ)によって除去すれば、ウォブル成分及び不要な高域ノイズ成分を除去することが可能となる。ここで、偏心成分を含むトラッキングエラー信号を内周から外周に亘ってサンプルすることにより、連続して取得することが可能となり、記録層１３へ記録する際のトラッキングエラー信号として利用できる。【０２４４】
特に図１４に示した如く、本実施例では、各スロット内のビットに、ＳＹＮＣ、データ等を割り当てており、ウォブル1波に対して、プリピットを形成するか又はしないとし、目印領域２２或いはサンプルサーボマーク３００Ｓとしてプリフォーマットアドレス構成に必要な部分情報を所望のスロット内に適応配置できる。このプリピットは、有／無を判定するためで、本実施例のような光ディスク１１においては、ガイド層１２にデータを記録することがないので、当初の状態でＬＰＰを検出できればよい。このため、後に詳述する記録装置又は再生装置においてプリピット信号の検出が容易となる。【０２４５】
特に図１２及び図１３に示した実施例では、目印領域２２或いはサンプルサーボマーク３００Ｓを含む一のスロットが、１トラック前の隣接トラックのみならず、２トラック前に配置された目印領域２２或いはサンプルサーボマーク３００Ｓを含む他のスロットと重ならないように適応配置される。よって、ガイド層１２を読み取るための第１ビームＬＢ１（例えば、赤色レーザ）が、ＢＤ−Ｒフォーマット用の第２ビームＬＢ２より低密度用であっても、ウォブル及びプリピットを検出する際に、隣接した複数のトラックＴＲに配置された目印領域２２による影響を回避することができる。よって、良好なプリフォーマットデータを取得できる。【０２４６】
なお、本実施例では、目印領域２２は、目印情報が配置される領域を言うが、目印領域は、本発明にかかる「ガイド領域」或いは「サーボ用領域」を兼ねている。即ち、ガイドジョウホウ或いはサンプルサーボマークなどのトラッキングサーボ用の情報も、目印領域２２内に記録されている。この意味では、目印領域２２を、「サーボ用領域２２」と呼ぶこともできる。目印領域２２１は、このように目印情報及びガイド情報の両方が混在して配置されることで両機能を兼ね備えている領域である。
＜情報記録再生装置及び方法の実施例＞
次に、図１５から図２０を参照して、本発明に係る情報記録再生装置及び方法の実施例について説明する。【０２４７】
図１５において、記録再生装置１０１は、本発明に係る「情報記録装置」及び「情報再生装置」の一例たるディスクドライブとして構成されており、ホストコンピュータ２０１と接続されている。【０２４８】
記録再生装置１０１は、光ピックアップ１０２、信号記録再生部１０３、スピンドルモータ１０４、バス１０６、ＣＰＵ（ドライブ制御部）１１１、メモリ１１２、及びデータ入出力制御部１１３を備える。記録時には、光ピックアップ１０２が有する対物レンズ１０２Ｌ（図２参照）を介して、第１ビームＬＢ１及び第２ビームＬＢ２が照射され、再生時には、同じく対物レンズ１０２Ｌを介して、トラッキング用の光ビームを兼ねる第２ビームＬＢ２のみ、又は、第１ビームＬＢ１及び第２ビームＬＢ２の両方が照射されるように構成されている。【０２４９】
ホストコンピュータ２０１は、操作／表示制御部２０２、操作ボタン２０２、表示パネル２０４、バス２０６、ＣＰＵ２１１、メモリ２１２、及びデータ入出力制御部２１３を備えて構成される。記録時には、記録すべきデータが、データ入出力制御部２１３から入力され、再生時には、再生されたデータが、データ入出力制御部２１３から出力されるように構成されている。【０２５０】
光ピックアップ１０２は、第1ビームＬＢ１を発する赤色半導体レーザと、第２ビームＬＢ２を発する青色半導体レーザと、対物レンズ１０２Ｌを含む、プリズム、ミラー等から構成される合成分離光学系とを備える。光ピックアップ１０２は、共通の対物レンズ１０２Ｌを介して、第1ビームＬＢ１及び第２ビームＬＢ２を同軸的に且つ異なるフォーカスにて（図１及び図２参照）照射するように構成されている。【０２５１】
更に、光ピックアップ１０２は、第1ビームＬＢ１に起因する光ディスク１１からの反射光を、対物レンズ１０２Ｌを介して受光する、二分割或いは四分割のＣＣＤ等の受光素子と、第２ビームＬＢ２に起因する光ディスク１１からの反射光を、対物レンズ１０２Ｌを介して受光する、二分割或いは四分割のＣＣＤ等の受光素子とを含んで構成される。光ピックアップ１０２は、第２ビームＬＢ２を、記録時に相対的に高強度の記録用強度で変調可能であり、再生時に相対的に低強度の再生用強度に設定可能に構成されている。【０２５２】
光ピックアップ１０２及び信号記録再生部１０３は、少なくとも記録時に、ガイド層１２からの反射光を受光する受光素子からの受光信号により、例えばプッシュプル法又は位相差法（ＤＰＤ）で、トラッキングエラー信号を生成し、更に、プリピット信号或いはアドレス情報を再生可能に構成されている。【０２５３】
光ピックアップ１０２及び信号記録再生部１０３は、再生時に、記録層１３からの反射光を受光する受光素子からの受光信号により、例えばプッシュプル法又は位相差法でトラッキングエラー信号を生成し、例えば全光量に対応する信号としてデータ信号を生成するように構成されている。【０２５４】
或いは、光ピックアップ１０２及び信号記録再生部１０３は、再生時に、ガイド層１２からの反射光を受光する受光素子からの受光信号により、トラッキングエラー信号を生成し、記録層１３からの反射光を受光する受光素子からの受光信号により、データ信号を生成するように構成されている。【０２５５】
メモリ１１２及びメモリ２１２は、(i)記録再生装置１０１におけるＣＰＵ１１１等の各要素、及びホストコンピュータ２０１におけるＣＰＵ２１１等の各要素を、次に説明する記録再生動作が行われるように制御するためのコンピュータプログラム、並びに(ii)記録再生動作に必要な、制御データ、処理中データ、処理済みデータなどの各種データを、バス１０６、バス２０６等を介して一時的又は恒久的に保持するのに適宜用いられる。【０２５６】
本実施例では特に、記録再生装置１０１は、補正機構１０５を更に備える。補正機構１０５は、本発明に係る「処理手段」の一例であり、典型的には、チルト補正機構である。補正機構１０５は、チルト補正機構に加えて又は代えて、光ディスク１１の偏心補正、ディスク面の傾き補正機構、光学系の収差補正機構、光ビームの位相差補正やゆがみの補正機構、光吸収補正機構、ストラテジーの設定機構など各種の補正機構であってよい。補正機構１０５により、ガイド層１２から検出されたパターン信号（典型的にはチルト検出信号）に基づいて、光ピックアップ１０２について特定種類の処理（典型的にはチルト補正）が、施行される。例えば、チルト補正であれば、チルト検出信号が検出される都度に行われ、次にチルト検出信号が検出されるまでの期間は、チルトサーボがロックされる。【０２５７】
ここで図１６及び図１７を参照して、記録再生装置１０１のうち、補正機構１０５で実施される補正に係る部分の詳細について説明を加える。【０２５８】
図１６において、補正機構は、ＬＰＦ（ローパスフィルター）１２１、サンプル＆ホールド＆平滑化回路１２２、演算（減算）＆積分＆ホールド回路１２３、ＬＰＦ１３１、ウォブル検出器（１３２）、発信器１３３、及びサンプルタイミング生成回路１３４を備える。【０２５９】
先ず、ＬＰＦ１２１及びＬＰＦ１３１には、光ピックアップ１０２の受光素子からのプッシュプル信号（Ｐｕｓｈ‐ｐｕｌｌ信号）が夫々入力され、高域ノイズがカットされる。【０２６０】
続いて、一方で、ＬＰＦ１３１で高域ノイズがカットされた出力信号は、ウォブル検出器（１３２）により、ウォブル検出が行われ、検出されたウォブルに対応する周波数で発信器１３３における発信が行われる。【０２６１】
図１７に示した如く、ここでは、ディスクトラック形状におけるウォブルに対応する矩形波が、発信器１３３から出力される。【０２６２】
図１６において、この発信出力に応じて、サンプルタイミング生成回路１３４により、サンプルタイミング信号が生成される。図１７に示した如く、サンプリングタイミング信号は、発信器１３３の出力パルスの中央に位置するサンプリングスイッチを閉じさせるための矩形パルスである。【０２６３】
他方で、ＬＰＦ１２１で高域ノイズがカットされた出力信号は、サンプル＆ホールド＆平滑化回路１２２によって、サンプリングされ、ホールドされ、更に平滑化される。この際、サンプリングのタイミングは、サンプルタイミング生成回路１３４により生成されたサンプルタイミング信号に従う。図１７に示した如く、サンプルタイミング信号に従えば、パターン領域２３から、パターン信号（例えば、チルト検出信号）をタイミングよく検出できる。【０２６４】
サンプル＆ホールド＆平滑化回路１２２からのサンプル１及びサンプル２である、出力信号は、演算（減算）＆積分＆ホールド回路１２３により、減算され、積分され、更にホールドされる。この結果、例えば７本のトラックに跨って一つのパターンをなすパターン信号として又はこのように得られたパターン信号に基づいて、特定パラメータ検出エラー信号が生成される。【０２６５】
特定パラメータ検出エラー信号が補正機構１０５に入力されると、その信号の値若しくは正負又は変調度合いなどの特性に応じて、補正機構１０５における駆動動作が行われる。例えば、チルト補正であれば、チルト補正用のアクチュエータにより、チルトエラーを小さくするように駆動が行われる。【０２６６】
以下、図１５に加えて、図１８から図２０を参照して、本実施例の記録再生装置１０１の各構成要素における構成及び動作を、記録再生装置１０１の全体動作と共に説明する。ここに図１８は、情報記録再生装置１０１における、記録再生動作を示し、図１９は、記録動作の一例の詳細を示し、図２０は、再生動作の一例の詳細を示す。【０２６７】
図１８において、先ず、記録再生装置１０１に対し、ユーザによる手動又は機械動作により、上述した本実施例に係るフォーマットの光ディスク１１が装着される（ステップＳ１１）。【０２６８】
すると、ユーザによる表示パネル２０４を見ての操作ボタン２０３上での操作などに応じた動作開始コマンドが、ドライブ側の操作／表示制御部２０２及びＣＰＵ１１１、並びにホスト側のＣＰＵ２１１等により発生される。この動作開始コマンドを受けて、信号記録再生部１０３による制御下で、スピンドルモータ１０４による光ディスク１１の回転が開始される。これと相前後して、信号記録再生部１０３による制御下で、光ピックアップ１０２による光照射が開始される。更に、ガイド層１２に対する読取用サーボ系が動作される。即ち、第１ビームＬＢ１が照射され、ガイド層１２に集光されて、トラッキング動作が開始される（ステップＳ１２）。【０２６９】
なお、この動作開始コマンドを含めた各種コマンド、ユーザデータや制御データを含む各種データの受け渡しは、ホスト側のバス２０６及びデータ入出力制御部２１３、並びにドライブ側のバス１０６及びデータ入出力制御部１１３を介して行われる。【０２７０】
続いて、ガイド層１２上で、第１ビームＬＢ１によるトラックＴＲへの照射が続けられ、ウォブル信号及びプリピット信号（更に、これらの少なくとも一方からプッシュプル法又はＤＰＤ法で得られるトラッキングエラー信号）が、目印領域２２から検出される。更に、これらの信号の少なくとも一方として予め記録されたディスク管理情報が、ドライブ側のＣＰＵ１１１又はホスト側のＣＰＵ２１１等により取得される。【０２７１】
なお、ディスク管理情報は、ガイド層１２における、最内周側に位置するリードイン領域、ＴＯＣ（Ｔａｂｌｅ Ｏｆ Ｃｏｎｔｅｎｔ）領域などにまとめて、記録され読み出されてもよい。その内容は、既存のＤＶＤ、ＢＲディスク等におけるディスク管理情報に準拠したものでよい。管理情報については別途、記録層に特別に設けられたリードイン領域、ＴＯＣ領域などに予め若しくは別途先行して記録されており、これが本時点で又は任意の時点で読み出されてもよい。【０２７２】
次に、ドライブ側のＣＰＵ１１１又はホスト側のＣＰＵ２１１等により、要求されている動作が、データ記録であるか否かが判定される（ステップＳ１４）。ここで、データ記録である場合（ステップＳ１４：Ｙｅｓ）、新規なる光ディスク１１に対する記録処理が実行される（ステップＳ１５）。この記録処理については、後に詳述する（図１９参照）
他方、ステップＳ１４の判定にてデータ記録でない場合（ステップＳ１４：Ｎｏ）、又はステップＳ１５にて新規なる光ディスク１１に対する記録処理が完了された場合、ドライブ側のＣＰＵ１１１又はホスト側のＣＰＵ２１１等により、要求されている動作が、データ再生であるか否かが判定される（ステップＳ１６）。ここで、データ再生である場合（ステップＳ１６：Ｙｅｓ）、新規なる光ディスク１１に対する再生処理が実行される（ステップＳ１７）。この再生処理については、後に詳述する（図２０参照）。【０２７３】
ステップＳ１６の判定にてデータ再生でない場合（ステップＳ１６：Ｎｏ）、又はステップＳ１７にて新規なる光ディスク１１に対する再生処理が完了された場合、イジェクト（Ｅｊｅｃｔ）、即ちトレイの排出などが、操作ボタン２０３等を介して要求されているか否かが判定される（ステップＳ１８）。ここで、イジェクトが要求されていなければ（ステップＳ１８：Ｎｏ）、ステップＳ１４に戻って、再び、それ以降のステップが実行される。【０２７４】
他方、ステップＳ１８の判定にてイジェクトが要求されている場合に（ステップＳ１８：Ｎｏ）、イジェクト動作が実行され（ステップＳ１９）、光ディスク１１に対する一連の記録再生処理が完了する。【０２７５】
次に図１９を参照して、新規の光ディスク１１に対する記録処理（図２０のステップＳ１５）の一例について、説明する。【０２７６】
図１９において、記録処理が開始されると、先ず、ＣＰＵ１１１及び信号記録再生部１０３による制御下で、ガイド層１２上において、第１ビームＬＢ１によるトラックＴＲへの照射が続けられたまま（即ち、トラッキング動作が実行されたまま）、ウォブル信号及びプリピット信号が、目印領域２２から検出される。これにより、ＣＰＵ１１１等により、トラックＴＲ上におけるアドレス情報が取得される。このアドレス情報を参照することで、ＣＰＵ２１１等により、データの記録を開始すべきアドレスとして指定された、所望の記録アドレスがサーチされる。即ち、第１ビームＬＢ１がそのアドレス位置へと移動される。このサーチ動作により、光ピックアップ１０２内にて対物レンズ１０２Ｌ等の光学系を第1ビームＬＢ１と共通する第２ビームＬＢ２も（図１及び図２参照）、記録層１３上でそのサーチされた記録アドレスに対応する記録面内における平面位置へと移動される（ステップＳ２１）。【０２７７】
続いて、ＣＰＵ１１１及び信号記録再生部１０３による制御下で、光ピックアップ１０２によって、データを記録すべき所望の記録層１３へと、第２ビームＬＢ２のフォーカスサーボがかけられる（ステップＳ２２）。【０２７８】
続いて、光ピックアップ１０２によって、第２ビームＬＢ２のフォーカスサーボが閉じられた状態で、第１ビームＬＢ１によるトラックＴＲに対するトラッキングサーボが継続される。即ち、ガイド層１２に対するトラッキングサーボにより、所望の記録層１３に対するトラッキングサーボが間接的に行われる（ステップＳ２３ａ）。【０２７９】
続いて、特定パラメータ検出結果に基づいて補正機構１０５にて、補正が行われる（図１６及び図１７参照）。この補正は、チルト検出信号などのパターン信号の検出に応じて断続的に又は定期的若しくは不定期的に行われる。例えば、チルト補正であれば、チルトエラー信号に応じてチルト補正が行われ、補正後にチルトサーボがロックされ次の補正の機会が待たれる（ステップＳ２３ｂ）。【０２８０】
このステップＳ２３ｂにおける補正は、少なくとも部分的に、次のステップＳ２３ｃにおける、データを記録する工程中に実行されてもよい。【０２８１】
続いて、第２ビームＬＢ２を、記録すべきデータ値に応じて変調しながら照射することで、所望の記録層１３へのデータの記録が開始される（ステップＳ２３ｃ）。【０２８２】
続いて、ＣＰＵ１１１等により、所定量の記録が終了したか否かがモニタリングされる（ステップＳ２４）。ここで、記録が終了しない限り、記録層１３へのデータの記録が継続される（ステップＳ２４:Ｎｏ）。【０２８３】
ここで、記録が終了すると（ステップＳ２４：Ｙｅｓ）、記録したデータに応じて、管理情報が更新される（ステップＳ２５）。管理情報は、複数の記録層１３の少なくとも一つに設けられたリードイン領域、ＴＯＣ領域などにまとめて記録されてよい。その位置は内周側であってもよいが外周側や途中であってもよいし、多少分散された形で記録されてもよい。これに加えて又は代えて、メモリ１１２、メモリ２１２等内に設けられており、光ディスク１１に紐付けられた管理情報が更新されてもよい。【０２８４】
以上により、新規の光ディスク１１に対する一連の記録処理（図１８のステップＳ１５）が完了する。【０２８５】
次に図２０を参照して、新規の光ディスク１１に対する再生処理（図１８のステップＳ１７）の一例について、説明する。この例は、再生処理時に第１ビームＬＢがトラッキング等のために、用いられない例である。即ち、この例では、記録処理時と異なり、第２ビームＬＢ２がトラッキング用にも用いられる。【０２８６】
図１６において、ＣＰＵ１１１及び信号記録再生部１０３による制御下で、光ピックアップ１０２によって、データを再生すべき所望の記録層１３へと、第２ビームＬＢ２のフォーカスサーボがかけられ、これと相前後して或いは並行して、第２ビームＬＢ２による記録済情報トラックへのトラッキングサーボがかけられる（ステップＳ３１）。【０２８７】
続いて、ＣＰＵ１１１等により、記録済情報トラック上における記録済のアドレス情報が取得される。このアドレス情報を参照することで、ＣＰＵ２１１等により、所望のデータの再生を開始すべきアドレスとして指定された、所望の再生アドレスがサーチされる。即ち、第２ビームＬＢ２がそのアドレス位置へと移動される（ステップＳ３２）。【０２８８】
続いて、特定パラメータ検出結果に基づいて補正機構１０５にて、補正が行われる（図１６及び図１７参照）。この補正は、チルト検出信号などのパターン信号の検出に応じて断続的に又は定期的若しくは不定期的に行われる。例えば、チルト補正であれば、チルトエラー信号に応じてチルト補正が行われ、補正後にチルトサーボがロックされ次の補正の機会が待たれる（ステップＳ３３ａ）。【０２８９】
このステップＳ３３ａにおける補正は、少なくとも部分的に、次のステップＳ３３ｂにおける、データを再生する工程中に実行されてもよい。【０２９０】
続いて、光ピックアップ１０２によって、トラッキングサーボ及びフォーカスサーボが閉じられた状態で、第２ビームＬＢ２に起因する反射光を、対物レンズ１０２Ｌを介して受光することで、所望の記録層１３からのデータの再生が開始される（ステップＳ３３ｂ）。【０２９１】
続いて、ＣＰＵ１１１等により、所定量の再生が終了したか否かがモニタリングされる（ステップＳ３４）。ここで、再生が終了しない限り、記録層１３からのデータの再生が継続される（ステップ３４:Ｎｏ）。【０２９２】
ここで、再生が終了すると（ステップＳ３４：Ｙｅｓ）、新規の光ディスク１１に対する一連の記録処理（図１８のステップＳ１７）が完了する。【０２９３】
以上図１５〜図２０を参照して、詳細に説明したように、複数トラックを１つのグループＧＲとして、パターン領域を配置したので、そのまとまったトラック内で、自由な配置が可能となり、記録再生装置１０１にて検出可能な、チルトエラー検出点等の特定パラメータ検出点の配置の自由度が確保できる。一つのパターン領域２３と隣接する他のパターン領域２３とは、独立しているので、相互に無関係にチルト検出パターン等の特定パラメータ検出パターンの配置が可能で、光ディスク１１の全面に亘って、全体としても、自由度のある配置が可能となる。【０２９４】
ガイド層１２として、高密度化された複数のトラックＴＲを同時に読込む記録再生装置１０１にとって、同時に読込む複数のトラックＴＲを１つのグループＧＲとしてパターン領域３が配置されているので、この形式での配置は、読込みが簡単で、極めて好都合な配置を実現できる。【０２９５】
更に、ガイド層１２においてグルーブをウォブルすることにより、目印領域２２としたので、記録再生装置１０１によって、目印領域２２にて検出したウォブル信号により、パターン領域２３の正確な位置が把握でき（図１６及び図１７参照）、検出したエラー信号サンプルタイミングを容易に生成することができる。この際特に、目印領域２２のウォブルの周期と、パターン領域２３の区間とを、所定の整数比の関係にしたので（図８参照）、サンプルタイミングを容易に生成することができる
特に実施形態では、目印領域２２には、ウォブルが形成され、パターン領域２３は、その後ろに配置される。検出したウォブル信号によりＰＬＬ回路を引き込めば、パターン領域２３の正確な位置が把握でき、検出したエラー信号をサンプルするためのサンプルタイミングを生成することができる。【０２９６】
図２１に示すように、例えばスロット３００Ａ（即ち、「Ａ  Ｓｌｏｔ」）に、スロット３００Ｂ（即ち、「Ｂ  Ｓｌｏｔ」）が存在する旨の存在情報を含めておけば或いは重畳しておけば、このグループのスロット５００（３ビット分相当）の後に、『パターン領域２３が後に配置されており、かつ現在の第１ビームＬＢ１による読取中のトラックが、センタートラックである』旨の情報が、このスロット５００を読込んだ時に、取得される。よって、パターン領域２３内におけるチルトエラー検出パターン位置を把握することができる
次に図２２から図２５を参照して、トラッキングサーボが所定の周波数帯域で動作可能であるところの、トラック方向に沿って離散的に配置される目印領域２２の配置間隔或いは最長の配置間隔（即ち、本発明に係る「所定距離」の一例）を決定する方法を、トラッキングサーボ系と共に説明する。【０２９７】
図２２に示すように、トラッキングサーボ系は、減算器を含むエラー検出器（Error Detector）３０１と、サンプリングスイッチ、キャパシタ及びバッファを含むサンプラー（Sampler）３０２と、増幅器及びイコアライザー（Amplifier & Equalizer）３０３と、アクチュエータ（Actuator）３０４とを含む。【０２９８】
エラー検出器３０１には、トラッキングサーボ用の外乱が入力され、アクチュエータ３０４からのフィードバック信号が減算（マイナス加算）され、減算信号として出力される。  エラー検出器３０１からの減算信号は、サンプラー３０２に入力される。【０２９９】
サンプラー３０２は、サンプル値をホールドする、いわゆる「零次ホールド回路」として構成されている。具体的には、サンプリングタイミングにて閉じるサンプリングスイッチと、これをホールドするキャパシタと、バッファとを備える。サンプラー３０２により、減算信号は、サンプリングスイッチにより、トラッキングサーボを動作させる周波数帯域に応じたサンプリングタイミングでサンプリングされ、更にキャパシタによりホールドされ、バッファによりバッファリングされる。サンプリングタイミングは、例えば、第１ビームＬＢ１を受光する受光素子にて検出されたウォブル信号及びプリピット信号などの、マーク信号により生成される。但し、サンプリングタイミングの生成方法は、これに限られず、後述する変形例等の媒体構成に応じて生成されてよい。また、サンプラー３０２の構成についても、これに限られることはなく、「１次ホールド回路」等でもよいことは言うまでもない。【０３００】
このようにサンプリングされたサンプラー３０２からのバッファ出力は、増幅器及びイコアライザー３０３により増幅及びイコアライズされ、更に、アクチュエータ３０４に入力される。【０３０１】
この入力された増幅信号に応じて、アクチュエータ３０４により、光ピックアップ１０２内に設けられた、ガイド層１２上における第１ビームＬＢ１の照射位置（従って、記録層１３上における第２ビームＬＢ２の照射位置）が、径方向に移動される。アクチュエータ３０４からは、その変動に応じたフィードバック信号がエラー検出器３０１へとフィードバックされる。【０３０２】
ここで特に、図２３から図２５を参照して、サンプラー３０２におけるサンプリングタイミングについて検討を加える。【０３０３】
図２３は、エラー検出器３０１に入力される最大の外乱要素である偏心成分が変化した場合について、サンプラー３０２の動作出力を、模式的に示している。図２３から、時間に対して、トラッキングエラーが概ね一定周期でプラス側からマイナス側へと波打っている様子が分かる。【０３０４】
図２４は、サンプラー３０２により「零次ホールド」を行った場合における、伝達関数のボーデ線図（Ｂｏｄｅ Ｐｌｏｔ ｏｆ ｚｅｒｏ−ｏｒｄｅｒ ｈｏｌｄ）を示している。言い換えれば、ここでは、零時ホールドの周波数特性が示されており、特に、ゲイン特性（上側にある特性曲線）と位相（下側にある特性曲線）とが、ボーデ線図内に重ねて示されている。この例では、１ｍｓでサンプルした場合について示しているが、実際はもっと短い時間間隔で行われる。【０３０５】
図２４から、位相特性について、１ＫＨｚサンプリングした場合、１００Ｈｚでの信号は、位相における特性曲線部分１００１で示したように、位相が数度程度回ることが分かる。逆に、位相まわりを無視できる帯域として、仮に１００Ｈｚとすると、１０倍程度（１ＫＨｚ）以上のサンプル間隔が必要となる（即ち、１ＫＨzよりも高周波数でサンプリングすることが必要となる）とも言える。【０３０６】
図２５は、トラッキングサーボについて、ディスクの外乱特性と、トラッキングサーボのオープンループ特性との例を示している。この例では、「ディスク（即ち、光ディスク１１）の外乱特性」が、周波数２３．１Ｈｚまでは、片側３５μｍの偏心成分があり、加速度領域では１．１ｍ／Ｓ2 である。即ち、ディスクの外乱は、周波数２３．１Ｈｚまでは、特性図中で３５μｍに相当する６４ｄｂにて概ねフラットであり、それより高周波数側では、０．０２２μｍに相当する０ｄＢへと、１．１ｍ／Ｓ２の傾きにて下がっている。トラッキングサーボのオープンループ特性は、このようなディスクの外乱を抑圧可能な特性例として示されている。即ち、特性図中、いずれの周波数でも、オープンループ特性の方が高ゲイン側となるように設定されており、これにより、どの周波数帯域でも外乱を抑圧可能となる。なお、この例では、ｆ０（カットオフ帯域）＝２．４ＫＨｚとして示している。【０３０７】
図２３から図２５を参照して説明した本例の場合、「所定距離」は次のように決定される。【０３０８】
即ち、トラッキングサーボ帯域を、例えば、２．４ＫＨｚとすると、先に述べたホールド回路として実現されるサンプラー３０２による影響を無視できるためには、約１０倍である２４ｋＨｚに相当する 、時間間隔Ｔ＝１／（２４×１０３)＝４６．７ [μｓｅｃ]として求まる。この時間間隔Ｔと、光ディスク１１のスピンドルモータ１０４による回転線速度との関係から、トラック方向に離散的に相前後して並ぶ二つの目印領域２２の配置間隔或いは配置ピッチ（図９参照）として、必要な最長の距離、即ち本発明に係る「所定距離」の一例が決定される。【０３０９】
例えば、線速 ｖ を４．９１７ｍ/ｓｅｃ  とすると、所定距離Ｌは、Ｌ＝ｖ×Ｔ  ≒２３０[μｍ]として求められる。即ち、トラックＴＲに沿って５スロットに一つの割合で目印領域２２が入れられる場合、５スロットの長さが、この２３０[μｍ]よりも短くなるように、スロット構成が決定されたり、或いは、何スロットに一つずつ目印領域２２を入れるかが決定される。【０３１０】
なお、目印領域２２の配置間隔（即ち、配置ピッチ）の決定方法は、本例に限られることはなく、図２４及び図２５に示した如き必要とされるサーボ帯域や、光ディスク１１のＣＬＶ方式における線速度等を考慮して決定すればよい。【０３１１】
以上図１〜図２５を参照して詳細に説明したように、本実施例によれば、内周から外周に向かって連続的に、螺旋状に鏡面領域２１（或いはグルーブ領域）と、目印領域２（或いはガイド領域或いはサーボ用領域）とが、所定の間隔でトラックＴＲが形成されている。そして、ガイド層１２のトラックＴＲを追従させながら、他の記録層１３へデータを記録させる際、プッシュプル信号をサンプリングすることによって、安定的に、連続したトラッキング信号を生成できる。【０３１２】
パターン領域２３は、複数トラックを１つのグループとして、センタートラック２３ＴＲにおいて、所望のチルトエラーが検出可能なように、所定のチルト検出パターンが形成されており、パターン領域２３は、所定の位置又は間隔で、媒体上に配置されている。このため、センタートラック２３ＴＲを追従すると、その位置での所定のチルトエラーが検出可能である。【０３１３】
目印領域２２とパターン領域２３とは、ウォブルの１周期を単位として、構成しているので、目印領域２２で得られるウォブル信号によりＰＬＬを構成することで、スロット３００Ａ、スロット３００Ｂのタイミング信号を得ることができる。これにより、プリフォーマットアドレスの取得タイミングや、チルトエラーの取得タイミングを生成することができる。【０３１４】
ガイド層１２として、高密度化された複数のトラックＴＲを同時に読込む記録再生装置１０１にとって、同時に読込む複数のトラックＴＲを１つのグループＧＲとしてパターン領域２３が配置されているので、この形式での配置は、読込みが簡単で、極めて好都合な配置を実現できる。【０３１５】
特に、ウォブルを配置しない領域を、鏡面領域２１として鏡面で構成することで、他のトラックＴＲからの影響を受けず又は受け難く、複数のトラックＴＲを同時にトレースしても、第１ビームＬＢ１がオントラックしている目印領域２２からの信号によって、連続したトラッキング信号を取得することができる。【０３１６】
上述の実施例では、ウォブルの周期をもとに、その整数倍（若しくは整数分の１）を単位としているので、検出したウォブル信号によりＰＬＬを介してロバスト性の高いタイミング基準信号が生成でき、各種のゲートや、サンプルタイミング信号、記録スタート時のタイミング信号にも使用することができる。【０３１７】
特に、図１２に示した主にスロット３００Ａに係るスロットフォーマットによれば、複数種類のスロットを確保できる。目印領域２２が、複数トラック間で重なり配置を回避するために、適応配置するスロットを少なくとも５つ設け、さらに、ビーム径の影響を排除するため、ビーム径を考慮した長さの緩衝スロット（即ち、鏡面領域２１に配置される緩衝用のスロット）を目印領域２２の前後に設け、緩衝スロットには、目印領域２２は配置せず、少なくとも、連続する５つのスロットのうち、１つには目印領域２２が配置され、プリアドレス情報等の所定の情報が埋め込まれる。【０３１８】
また特に図１３に示した主にスロット３００Ｂに係るスロットフォーマットによれば、ほぼ全周に亘り、所定以下の間隔で、目印領域２２が配置されているので、ガイド層１２の基本的な目的である、記録層１３への記録時において、サンプルドプッシュプル信号によって、安定的に、連続したトラッキング信号を取得することができる。更に、パターン領域２３では、トラッキング信号をホールドすることにより、安定したトラッキング信号を得ることができる。しかも、複数トラックを１つのグループとして、パターン領域２３を配置したので、そのまとまったトラック内で、自由な配置が可能となり、チルトエラー検出点の配置の自由度が確保できる。しかも、複数トラックを１つのまとまりとした、その１つのパターン領域２３と、異なる複数トラックを１つのまとまりとした他のパターン領域２３とは、独立しているので、無関係にチルト検出パターンの配置が可能で、全体としても、自由度のある配置が可能となる。この際、ガイド層１２として、高密度化された複数トラックを同時に読込む記録再生装置にとって、同時に読込む複数トラック数と同一のトラック数を１つのグループＧＲとしてパターン領域２３が配置されているので、この形式での配置は、読込みが簡単で、極めて好都合な配置を実現できる。【０３１９】
図１２及び図１３の如きスロットフォーマットを採用することで、スロット３００Ａの適応配置の容易性が得られる。即ち、ウォブルの周期をもとに、その整数倍（若しくは整数分の１）を１スロットとして対応させ、複数のスロットを構成してスロット３００Ａに対して適応配置させることができるようにしたので、スロット３００Ａに対して適応配置が極めて容易となる。同時に、スロット３００Ｂの配置容易性が得られる。即ち、同様に、ウォブルの周期をもとに、その整数倍（若しくは整数分の１）を１スロットとして対応させることにより、スロット３００Ａの配置との関係において、スロット３００Ｂの配置が容易となる。スロット３００Ｂを、複数トラックを１つのまとまりとして配置する際に、そのまとまりの中での自由な配置が容易となる。スロット３００Ｂを他の目的（例えば、トラックズレ検出パターンの配置等）のために配置することが容易となる。更に、これら二種類のスロットの混在配置容易性が得られる。即ち、また、整数倍であることにより、これら二種類のスロットの出現確率を、所望の割合にすることが容易となる。複数トラックを１つのまとまりとして配置すべきスロット３００Ｂと、全く異なる条件で配置すべきスロット３００Ｂとを独立して、容易に配置することが可能となり、全体として、自由度のある配置が可能となる。
＜各種変形例＞
以下、実施例の各種変形例について図２６から図３０を参照して説明する。【０３２０】
図２６は、上述した本実施例における目印領域２２に形成される物理的なトラック構成を示し、図２７〜図２９は夫々、その変形例を示す。【０３２１】
図２６の本実施例では、ウォブルＷＢとランドプリピットＬＰＰ１とから、目印領域２２のトラックＴＲが構成されている。ここに、ウォブルＷＢとランドプリピットＬＰＰ１との周期を整数倍の関係とし、更に、ウォブルＷＢの各頂点に、ランドプリピットＬＬＰ１が形成されている。このため、プリピット信号及びウォブル信号の検出を容易にすることができる
図２７の変形例では、グルーブトラックのウォブルＷＢ１の各頂点に、ウォブル振幅（振れ量）が局所的に高められた急カーブ部分５０１が設けられている。即ち、プリピットなしで、特殊なウォブルＷＢ１から、目印領域２２のトラックＴＲが構成されている。この場合にも、ウォブル信号の検出を容易にすることができる
図２８の変形例では、短く分断して掘られた複数のグルーブ５０２の、トラックＴＲに沿った連続的な配列自体がウォブリングされることで、ウォブルＷＢ２が形成されている。例えば、プリエンボス加工により、ウォブルＷＢ２を形成すれば、このような構造のトラックＴＲｗを、各目印領域２２に構築可能となる。【０３２２】
図２９の変形例では、径方向の幅が一定であり且つトラック方向の長さが適宜に変調されている、短く分断して掘られた複数のグルーブ５０２の、トラックＴＲに沿った連続的且つ直線的な配列（言い換えれば「マークパターン」）がトラックＴＲとされている。この変形例では、トラックＴＲがウォブリングされていない。例えば、プリエンボス加工により、マークパターンを形成すれば、このような構造のトラックＴＲｗを、各目印領域２２に構築可能となる。【０３２３】
次に図３０は、上述した本実施例における光ディスク１１の基本的な層構成（図１及び図２参照）の変形例を示す。ここに図３０は、本変形例の光ディスクの図１と同趣旨の模式的な斜視図である。【０３２４】
図３０において、光ディスク１１の変形例では、二層のガイド層１２ａ及び１２ｂが設けられる。例えば、ガイド層１２ａのトラックＴＲ―ａに、内周から外周へ向うアドレス位置を示す第１アドレス情報を担持させる。ガイド層１２ｂのトラックＴＲ−bに、外周から内周へ向うアドレス位置を示す第２アドレス情報を担持させる。この場合更に、記録層１３についても、第１アドレス情報に従って記録される第１記録層と第２アドレス情報に従って記録される第２記録層とに使い分けをし、第１記録層に対するガイドは、ガイド層１２ａを用いて行い、第２記録層に対するガイドは、ガイド層１２ｂを用いて行う。このように構成すれば、一又は複数の第１記録層にて、内周から外周へ向って情報を記録し、一又は複数の第２記録層にて、外周から内周へ向って情報を記録する動作が、効率良くなる或いは容易となる。しかも、記録動作の信頼性及び安定性についても、二種類のアドレス情報を使い分けることによって、顕著に高められる。よって、連続して双方向に又は任意若しくは独立にて双方向に記録可能な光ディスク１１を実現可能となる。【０３２５】
例えば、記録層の１層目を内周から外周に向かって記録再生し、記録層の２層目を外周から内周に向って記録再生をすることにすれば、これら二層間で記録再生を切り替える時間は、ほぼ層間ジャンプを行うだけの時間で済むので、複数の記録層に跨るように連続して、記録再生を行う際に、極めて有利となる。言い換えれば、２層ディスクにおける所謂「Opposite 記録」或いは「Opposite再生」と同様の効果が得られる。即ち、記録するデータとして、ビデオデータ等のリアルタイムに連続したデータを本変形例の光ディスク１１を用いて、記録しておくと、再生時において、特に第１記録層の終わりから第２記録層の始まりにかけては、殆ど層間ジャンプの時間のみで到達できる。これは、図１に示した実施例の場合に、層間ジャンプと、光ピックアップ１０２の位置を、外周から内周に戻す時間が更に加算されることを考えると非常に有利である。図１に示した実施例の場合に、データを途切れなく再生するためには、多量のメモリーを記録再生装置１０１に備えればよい。【０３２６】
このように図３０の変形例を併用することで、安価に、容易に、再生装置において連続再生が可能となる。【０３２７】
以上詳細に説明したように、本実施例及び変形例によれば、トラックＴＲに沿った目印領域２２の配置間隔（配置ピッチ）を所定距離以下とし、更に、光ディスク１１の全面に目印領域２２を（離散的に）配置したので、ガイド層１２の光ディスク１１の内周から外周に亘って、どの位置においても、サンプリングにより、連続したトラッキング信号を取得することができる。【０３２８】
また特に、記録層１３におけるデータフォーマットの構成単位とウォブルＷＢの１周期とを整数倍の関係とし、ウォブルＷＢの１周期の整数倍としてスロットを構成し、目印領域２２をこの区間に対応させたので、隣接トラックＴＲにおける目印領域２２同士が重ならないような（即ち、ウォブル信号やプリピット信号にクロストークが発生しないような）適応配置が容易となる。このようにして得られるウォブル信号は、ＰＬＬ（Ｐｈａｓｅ  Ｌｏｃｋｅｄ  Ｌｏｏｐ）回路を介して、ロバスト性に優れたタイミング基準信号生成として、或いは、記録スタート時のタイミング信号生成として利用できる。【０３２９】
また、本発明は、請求の範囲及び明細書全体から読み取るこのできる発明の要旨又は思想に反しない範囲で適宜変更可能であり、そのような変更を伴う情報記録媒体、情報記録装置及び方法、並びに情報再生装置及び方法もまた本発明の技術思想に含まれる。
【符号の説明】
【０３３０】
１１  光ディスク
１２  ガイド層
１３  記録層
２１  鏡面領域
２２  目印領域（サーボ用領域）
２３  パターン領域
ＴＲ  トラック
ＷＢ  ウォブル
ＬＬＰ１  ランドプリピット
ＬＢ１  第１ビーム
ＬＢ２  第２ビーム
１０２  光ピックアップ
１０２Ｌ  対物レンズ
１０１  記録再生装置  
２０１  ホストコンピュータ
【図１】
2011125160.tif 000006
【図２】
2011125160.tif 000007
【図３】
2011125160.tif 000008
【図４】
2011125160.tif 000009
【図５】
2011125160.tif 000010
【図６】
2011125160.tif 000011
【図７】
2011125160.tif 000012
【図８】
2011125160.tif 000013
【図９】
2011125160.tif 000014
【図１０】
2011125160.tif 000015
【図１１】
2011125160.tif 000016
【図１２】
2011125160.tif 000017
【図１３】
2011125160.tif 000018
【図１４】
2011125160.tif 000019
【図１５】
2011125160.tif 000020
【図１６】
2011125160.tif 000021
【図１７】
2011125160.tif 000022
【図１８】
2011125160.tif 000023
【図１９】
2011125160.tif 000024
【図２０】
2011125160.tif 000025
【図２１】
2011125160.tif 000026
【図２２】
2011125160.tif 000027
【図２３】
2011125160.tif 000028
【図２４】
2011125160.tif 000029
【図２５】
2011125160.tif 000030
【図２６】
2011125160.tif 000031
【図２７】
2011125160.tif 000032
【図２８】
2011125160.tif 000033
【図２９】
2011125160.tif 000034
【図３０】
2011125160.tif 000035
【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
ＣＬＶ方式の情報記録媒体であって、
予めトラックが形成されており第１光ビームが集光されるガイド層と、
該ガイド層上に積層されており前記第１光ビームよりも小径の第２光ビームが集光される複数の記録層と
を備え、
前記トラックには、前記記録層における前記第２光ビームにより情報が記録される領域に重なる部分を含めて、（ｉ）ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、更に（ｉｉ）前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されており、
前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ（ｉｉ）前記複数のスロットのうち前記トラック方向に沿って並んでいる複数のスロットから各々構成される第一のグループ毎に、該第一のグループに含まれる一つのスロット内に配置されると共に該第一のグループに含まれる他のスロット内に配置されておらず、
前記複数の信号検出領域は、前記トラックが前記トラック方向に区分されてなる一つ又は複数のスロットから夫々構成される第二のグループのスロット内に、配置されており、
前記複数のスロットは前記記録層において前記トラック方向及び前記径方向の両方についての連続するスロット内に情報が記録される区分であり、
前記トラック方向に並ぶ二つの前記第一のグループと前記第二のグループとを合わせた前記トラック方向の長さは、前記所定距離以下の配置間隔に対応している
ことを特徴とする情報記録媒体。
【請求項２】
前記第二のグループは、前記トラック方向において、複数の前記第一のグループのうち少なくとも一つの前記第一のグループに連続して配置される、又は、前記第一のグループ内の前記複数のスロット間に配置されることを特徴とする請求項１に記載の情報記録媒体
【請求項３】
前記二つの前記第一のグループと前記第二のグループとを合わせた前記トラック方向の長さは、前記複数の記録層に夫々記録されるデータの最小構成単位の前記トラック方向の長さと、所定の整数比であることを特徴とする請求項２に記載の情報記録媒体。
【請求項４】
前記物理構造は、前記ガイド情報の前記トラック方向の長さと、前記複数の記録層に夫々記録されるデータの最小構成単位の前記トラック方向の長さとが、所定の整数比となるように、前記ガイド情報を担持する
ことを特徴とする請求項１に記載の情報記録媒体。
【請求項５】
前記第一のグループ内の前記複数のスロットは各々、前記トラック方向に、相互に長さの等しいスロットとして構成され、
前記第二のグループ内の前記一つ又は複数のスロットは各々、前記トラック方向に、相互に長さの等しいスロットとして構成される
ことを特徴とする請求項２に記載の情報記録媒体。
【請求項６】
前記複数のガイド領域のうち少なくとも、前記トラック方向における前記センタートラック部分の前に配置された一のガイド領域に係るガイド情報が、前記複数の信号検出用領域のうち対応する一つが後に来る旨を示す目印情報としても機能するように構成されていることを特徴とする請求項１に記載の情報記録媒体。
【請求項７】
前記トラックは、当該情報記録媒体における内周から外周又は外周から内周に向って螺旋状に形成されており、
前記目印領域は、前記トラック方向における前記センタートラック部分の直前に配置されており、前記複数の信号検出用領域のうち対応する一つが直後に来る旨を示す
ことを特徴とする請求項６に記載の情報記録媒体。
【請求項８】
前記複数のガイド領域と前記複数の信号検出領域とは、相互に異なる配置規則で混在して配置されていることを特徴とする請求項１に記載の情報記録媒体。
【請求項９】
前記複数のガイド領域と前記複数の信号検出領域とは、前記径方向に相隣接しないように、相互間に前記第一のグループのスロット長と前記トラック方向において整数比の関係の長さを有する緩衝領域を介在する形で離間されていることを特徴とする請求項１に記載の情報記録媒体。
【請求項１０】
前記物理構造は、前記第一のグループのスロットに、ウォブル及びプリピット構造、並びにウォブル及び一部切欠き構造のうち少なくとも一方を含むことを特徴とする請求項２に記載の情報記録媒体。
【請求項１１】
前記トラックは、トラッキングサーボ用のガイドトラックであり、
前記物理構造は、前記ガイド情報の少なくとも一部を構成する前記トラッキングサーボ用の信号を、発生可能であり、
前記複数のガイド領域は夫々、前記トラッキングサーボ用の信号を発生するためのサーボ用領域であり、
前記所定距離は、前記トラッキングサーボが所定の帯域で動作可能な距離に予め設定されており、
前記複数のサーボ用領域は、前記トラッキングサーボ用の前記第１光ビームの径に基づいて、前記第１光ビームが同時に照射されないように前記複数のトラック間でずらされて、配置されている
ことを特徴とする請求項１に記載の情報記録媒体。
【請求項１２】
前記所定パターンは、前記パターン信号として、前記第二のグループのスロットに、チルト検出用のチルト検出信号を検出可能なように構成されていることを特徴とする請求項２に記載の情報記録媒体。
【請求項１３】
ＣＬＶ方式の情報記録媒体であって、予めトラックが形成されており第１光ビームが集光されるガイド層と、該ガイド層上に積層されており前記第１光ビームよりも小径の第２光ビームが集光される複数の記録層とを備え、前記トラックには、前記記録層における前記第２光ビームにより情報が記録される領域に重なる部分を含めて、（ｉ）ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、更に（ｉｉ）前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されており、前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ（ｉｉ）前記複数のスロットのうち前記トラック方向に沿って並んでいる複数のスロットから各々構成される第一のグループ毎に、該第一のグループに含まれる一つのスロット内に配置されると共に該第一のグループに含まれる他のスロット内に配置されておらず、前記複数の信号検出領域は、前記トラックが前記トラック方向に区分されてなる一つ又は複数のスロットから夫々構成される第二のグループのスロット内に、配置されており、前記複数のスロットは前記記録層において前記トラック方向及び前記径方向の両方についての連続するスロット内に情報が記録される区分であり、前記トラック方向に並ぶ二つの前記第一のグループと前記第二のグループとを合わせた前記トラック方向の長さは、前記所定距離以下の配置間隔に対応しているところの情報記録媒体に、データを記録する情報記録装置であって、
前記ガイド層にトラッキング用の前記第１光ビームを照射し且つ集光することが可能であると共に前記複数の記録層のうち一の記録層にデータ記録用の前記第２光ビームを照射し且つ集光することが可能である光照射手段と、
前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出手段と、
前記取得されたガイド情報に基づき前記トラックに対して所定の帯域でトラッキングサーボをかけるように前記光照射手段を制御するトラッキングサーボ手段と、
前記検出されたパターン信号に基づいて前記光照射手段について特定種類の処理を施す処理手段と、
前記トラッキングサーボがかけられている際に前記処理が施された状態で、前記一の記録層に前記第２光ビームを照射し且つ集光することで、前記データを記録するように前記光照射手段を制御するデータ記録制御手段と
を備えることを特徴とする情報記録装置。
【請求項１４】
ＣＬＶ方式の情報記録媒体であって、予めトラックが形成されており第１光ビームが集光されるガイド層と、該ガイド層上に積層されており前記第１光ビームよりも小径の第２光ビームが集光される複数の記録層とを備え、前記トラックには、前記記録層における前記第２光ビームにより情報が記録される領域に重なる部分を含めて、（ｉ）ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、更に（ｉｉ）前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されており、前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ（ｉｉ）前記複数のスロットのうち前記トラック方向に沿って並んでいる複数のスロットから各々構成される第一のグループ毎に、該第一のグループに含まれる一つのスロット内に配置されると共に該第一のグループに含まれる他のスロット内に配置されておらず、前記複数の信号検出領域は、前記トラックが前記トラック方向に区分されてなる一つ又は複数のスロットから夫々構成される第二のグループのスロット内に、配置されており、前記複数のスロットは前記記録層において前記トラック方向及び前記径方向の両方についての連続するスロット内に情報が記録される区分であり、前記トラック方向に並ぶ二つの前記第一のグループと前記第二のグループとを合わせた前記トラック方向の長さは、前記所定距離以下の配置間隔に対応しているところの情報記録媒体に、前記ガイド層にトラッキング用の前記第１光ビームを照射し且つ集光することが可能であると共に前記複数の記録層のうち一の記録層にデータ記録用の前記第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出工程と、
前記取得されたガイド情報に基づき前記トラックに対して所定の帯域でトラッキングサーボをかけるように前記光照射手段を制御するトラッキングサーボ工程と、
前記検出されたパターン信号に基づいて前記光照射手段について特定種類の処理を施す処理工程と、
前記トラッキングサーボがかけられている際に前記処理が施された状態で、前記一の記録層に前記第２光ビームを照射し且つ集光することで、前記データを記録するように前記光照射手段を制御するデータ記録制御工程と
を備えることを特徴とする情報記録方法。
【請求項１５】
ＣＬＶ方式の情報記録媒体であって、予めトラックが形成されており第１光ビームが集光されるガイド層と、該ガイド層上に積層されており前記第１光ビームよりも小径の第２光ビームが集光される複数の記録層とを備え、前記トラックには、前記記録層における前記第２光ビームにより情報が記録される領域に重なる部分を含めて、（ｉ）ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、更に（ｉｉ）前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されており、前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ（ｉｉ）前記複数のスロットのうち前記トラック方向に沿って並んでいる複数のスロットから各々構成される第一のグループ毎に、該第一のグループに含まれる一つのスロット内に配置されると共に該第一のグループに含まれる他のスロット内に配置されておらず、前記複数の信号検出領域は、前記トラックが前記トラック方向に区分されてなる一つ又は複数のスロットから夫々構成される第二のグループのスロット内に、配置されており、前記複数のスロットは前記記録層において前記トラック方向及び前記径方向の両方についての連続するスロット内に情報が記録される区分であり、前記トラック方向に並ぶ二つの前記第一のグループと前記第二のグループとを合わせた前記トラック方向の長さは、前記所定距離以下の配置間隔に対応しているところの情報記録媒体から、データを再生する情報再生装置であって、
前記ガイド層にトラッキング用の第１光ビームを照射し且つ集光することが可能であると共に前記複数の記録層のうち一の記録層にデータ再生用の第２光ビームを照射し且つ集光することが可能である光照射手段と、
前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出手段と、
前記取得されたガイド情報に基づき前記トラックに対して所定の帯域でトラッキングサーボをかけるように前記光照射手段を制御するトラッキングサーボ手段と、
前記検出されたパターン信号に基づいて前記光照射手段について特定種類の処理を施す処理手段と、
前記トラッキングサーボがかけられている際に前記処理が施された状態で、前記一の記録層からの前記照射され且つ集光された第２光ビームに基づく第２光を受光し、該受光された第２光に基づき前記データを取得するデータ取得手段と
を備えることを特徴とする情報再生装置。
【請求項１６】
ＣＬＶ方式の情報記録媒体であって、予めトラックが形成されており第１光ビームが集光されるガイド層と、該ガイド層上に積層されており前記第１光ビームよりも小径の第２光ビームが集光される複数の記録層とを備え、前記トラックには、前記記録層における前記第２光ビームにより情報が記録される領域に重なる部分を含めて、（ｉ）ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、更に（ｉｉ）前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されており、前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ（ｉｉ）前記複数のスロットのうち前記トラック方向に沿って並んでいる複数のスロットから各々構成される第一のグループ毎に、該第一のグループに含まれる一つのスロット内に配置されると共に該第一のグループに含まれる他のスロット内に配置されておらず、前記複数の信号検出領域は、前記トラックが前記トラック方向に区分されてなる一つ又は複数のスロットから夫々構成される第二のグループのスロット内に、配置されており、前記複数のスロットは前記記録層において前記トラック方向及び前記径方向の両方についての連続するスロット内に情報が記録される区分であり、前記トラック方向に並ぶ二つの前記第一のグループと前記第二のグループとを合わせた前記トラック方向の長さは、前記所定距離以下の配置間隔に対応しているところの情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、
前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出工程と、
前記取得されたガイド情報に基づき前記トラックに対して所定の帯域でトラッキングサーボをかけるように前記光照射手段を制御するトラッキングサーボ工程と、
前記検出されたパターン信号に基づいて前記光照射手段について特定種類の処理を施す処理工程と、
前記トラッキングサーボがかけられている際に前記処理が施された状態で、前記一の記録層からの前記照射され且つ集光された第２光ビームに基づく第２光を受光し、該受光された第２光に基づき前記データを取得するデータ取得工程と
を備えることを特徴とする情報再生方法。
【手続補正書】
【提出日】平成24年9月12日(2012.9.12)
【手続補正１】
【補正対象書類名】特許請求の範囲
【補正対象項目名】全文
【補正方法】変更
【補正の内容】
【特許請求の範囲】
【請求項１】
ＣＬＶ方式の情報記録媒体であって、
予めトラックが形成されており第１光ビームが集光されるガイド層と、
該ガイド層上に積層されており前記第１光ビームよりも小径の第２光ビームが集光される複数の記録層と
を備え、
前記トラックには、前記記録層における前記第２光ビームにより情報が記録される領域に重なる部分を含めて、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、更に(ii)前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されており、
前記複数のガイド領域は、(i)前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ(ii)前記複数のスロットのうち前記トラック方向に沿って並んでいる複数のスロットから各々構成される第一のグループ毎に、該第一のグループに含まれる一つのスロット内に配置されると共に該第一のグループに含まれる他のスロット内に配置されておらず、
前記複数の信号検出領域は、前記トラックが前記トラック方向に区分されてなる一つ又は複数のスロットから夫々構成される第二のグループのスロット内に、配置されており、
前記複数のスロットは前記記録層において前記トラック方向及び前記径方向の両方についての連続するスロット内に情報が記録される区分であり、
前記トラック方向に並ぶ二つの前記第一のグループと前記第二のグループとを合わせた前記トラック方向の長さは、前記所定距離以下の配置間隔に対応している
ことを特徴とする情報記録媒体。
【請求項２】
前記第二のグループは、前記トラック方向において、複数の前記第一のグループのうち少なくとも一つの前記第一のグループに連続して配置される、又は、前記第一のグループ内の前記複数のスロット間に配置されることを特徴とする請求項１に記載の情報記録媒体
【請求項３】
前記二つの前記第一のグループと前記第二のグループとを合わせた前記トラック方向の長さは、前記複数の記録層に夫々記録されるデータの最小構成単位の前記トラック方向の長さと、所定の整数比であることを特徴とする請求項２に記載の情報記録媒体。
【請求項４】
前記物理構造は、前記ガイド情報の前記トラック方向の長さと、前記複数の記録層に夫々記録されるデータの最小構成単位の前記トラック方向の長さとが、所定の整数比となるように、前記ガイド情報を担持する
ことを特徴とする請求項１に記載の情報記録媒体。
【請求項５】
前記第一のグループ内の前記複数のスロットは各々、前記トラック方向に、相互に長さの等しいスロットとして構成され、
前記第二のグループ内の前記一つ又は複数のスロットは各々、前記トラック方向に、相互に長さの等しいスロットとして構成される
ことを特徴とする請求項２に記載の情報記録媒体。
【請求項６】
前記複数のガイド領域のうち少なくとも、前記トラック方向における前記センタートラック部分の前に配置された一のガイド領域に係るガイド情報が、前記複数の信号検出用領域のうち対応する一つが後に来る旨を示す目印情報としても機能するように構成されていることを特徴とする請求項１から５のいずれか一項に記載の情報記録媒体。
【請求項７】
前記トラックは、当該情報記録媒体における内周から外周又は外周から内周に向って螺旋状に形成されており、
前記目印領域は、前記トラック方向における前記センタートラック部分の直前に配置されており、前記複数の信号検出用領域のうち対応する一つが直後に来る旨を示す
ことを特徴とする請求項６に記載の情報記録媒体。
【請求項８】
前記複数のガイド領域と前記複数の信号検出領域とは、相互に異なる配置規則で混在して配置されていることを特徴とする請求項１から７のいずれか一項に記載の情報記録媒体。
【請求項９】
前記複数のガイド領域と前記複数の信号検出領域とは、前記径方向に相隣接しないように、相互間に前記第一のグループのスロット長と前記トラック方向において整数比の関係の長さを有する緩衝領域を介在する形で離間されていることを特徴とする請求項１から８のいずれか一項に記載の情報記録媒体。
【請求項１０】
前記物理構造は、前記第一のグループのスロットに、ウォブル及びプリピット構造、並びにウォブル及び一部切欠き構造のうち少なくとも一方を含むことを特徴とする請求項２に記載の情報記録媒体。
【請求項１１】
前記トラックは、トラッキングサーボ用のガイドトラックであり、
前記物理構造は、前記ガイド情報の少なくとも一部を構成する前記トラッキングサーボ用の信号を、発生可能であり、
前記複数のガイド領域は夫々、前記トラッキングサーボ用の信号を発生するためのサーボ用領域であり、
前記所定距離は、前記トラッキングサーボが所定の帯域で動作可能な距離に予め設定されており、
前記複数のサーボ用領域は、前記トラッキングサーボ用の前記第１光ビームの径に基づいて、前記第１光ビームが同時に照射されないように前記複数のトラック間でずらされて、配置されている
ことを特徴とする請求項１から１０のいずれか一項に記載の情報記録媒体。
【請求項１２】
前記所定パターンは、前記パターン信号として、前記第二のグループのスロットに、チルト検出用のチルト検出信号を検出可能なように構成されていることを特徴とする請求項２に記載の情報記録媒体。
【請求項１３】
ＣＬＶ方式の情報記録媒体であって、予めトラックが形成されており第１光ビームが集光されるガイド層と、該ガイド層上に積層されており前記第１光ビームよりも小径の第２光ビームが集光される複数の記録層とを備え、前記トラックには、前記記録層における前記第２光ビームにより情報が記録される領域に重なる部分を含めて、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、更に(ii)前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されており、前記複数のガイド領域は、(i)前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ(ii)前記複数のスロットのうち前記トラック方向に沿って並んでいる複数のスロットから各々構成される第一のグループ毎に、該第一のグループに含まれる一つのスロット内に配置されると共に該第一のグループに含まれる他のスロット内に配置されておらず、前記複数の信号検出領域は、前記トラックが前記トラック方向に区分されてなる一つ又は複数のスロットから夫々構成される第二のグループのスロット内に、配置されており、前記複数のスロットは前記記録層において前記トラック方向及び前記径方向の両方についての連続するスロット内に情報が記録される区分であり、前記トラック方向に並ぶ二つの前記第一のグループと前記第二のグループとを合わせた前記トラック方向の長さは、前記所定距離以下の配置間隔に対応しているところの情報記録媒体に、データを記録する情報記録装置であって、
前記ガイド層にトラッキング用の前記第１光ビームを照射し且つ集光することが可能であると共に前記複数の記録層のうち一の記録層にデータ記録用の前記第２光ビームを照射し且つ集光することが可能である光照射手段と、
前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出手段と、
前記取得されたガイド情報に基づき前記トラックに対して所定の帯域でトラッキングサーボをかけるように前記光照射手段を制御するトラッキングサーボ手段と、
前記検出されたパターン信号に基づいて前記光照射手段について特定種類の処理を施す処理手段と、
前記トラッキングサーボがかけられている際に前記処理が施された状態で、前記一の記録層に前記第２光ビームを照射し且つ集光することで、前記データを記録するように前記光照射手段を制御するデータ記録制御手段と
を備えることを特徴とする情報記録装置。
【請求項１４】
ＣＬＶ方式の情報記録媒体であって、予めトラックが形成されており第１光ビームが集光されるガイド層と、該ガイド層上に積層されており前記第１光ビームよりも小径の第２光ビームが集光される複数の記録層とを備え、前記トラックには、前記記録層における前記第２光ビームにより情報が記録される領域に重なる部分を含めて、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、更に(ii)前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されており、前記複数のガイド領域は、(i)前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ(ii)前記複数のスロットのうち前記トラック方向に沿って並んでいる複数のスロットから各々構成される第一のグループ毎に、該第一のグループに含まれる一つのスロット内に配置されると共に該第一のグループに含まれる他のスロット内に配置されておらず、前記複数の信号検出領域は、前記トラックが前記トラック方向に区分されてなる一つ又は複数のスロットから夫々構成される第二のグループのスロット内に、配置されており、前記複数のスロットは前記記録層において前記トラック方向及び前記径方向の両方についての連続するスロット内に情報が記録される区分であり、前記トラック方向に並ぶ二つの前記第一のグループと前記第二のグループとを合わせた前記トラック方向の長さは、前記所定距離以下の配置間隔に対応しているところの情報記録媒体に、前記ガイド層にトラッキング用の前記第１光ビームを照射し且つ集光することが可能であると共に前記複数の記録層のうち一の記録層にデータ記録用の前記第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出工程と、
前記取得されたガイド情報に基づき前記トラックに対して所定の帯域でトラッキングサーボをかけるように前記光照射手段を制御するトラッキングサーボ工程と、
前記検出されたパターン信号に基づいて前記光照射手段について特定種類の処理を施す処理工程と、
前記トラッキングサーボがかけられている際に前記処理が施された状態で、前記一の記録層に前記第２光ビームを照射し且つ集光することで、前記データを記録するように前記光照射手段を制御するデータ記録制御工程と
を備えることを特徴とする情報記録方法。
【請求項１５】
ＣＬＶ方式の情報記録媒体であって、予めトラックが形成されており第１光ビームが集光されるガイド層と、該ガイド層上に積層されており前記第１光ビームよりも小径の第２光ビームが集光される複数の記録層とを備え、前記トラックには、前記記録層における前記第２光ビームにより情報が記録される領域に重なる部分を含めて、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、更に(ii)前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されており、前記複数のガイド領域は、(i)前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ(ii)前記複数のスロットのうち前記トラック方向に沿って並んでいる複数のスロットから各々構成される第一のグループ毎に、該第一のグループに含まれる一つのスロット内に配置されると共に該第一のグループに含まれる他のスロット内に配置されておらず、前記複数の信号検出領域は、前記トラックが前記トラック方向に区分されてなる一つ又は複数のスロットから夫々構成される第二のグループのスロット内に、配置されており、前記複数のスロットは前記記録層において前記トラック方向及び前記径方向の両方についての連続するスロット内に情報が記録される区分であり、前記トラック方向に並ぶ二つの前記第一のグループと前記第二のグループとを合わせた前記トラック方向の長さは、前記所定距離以下の配置間隔に対応しているところの情報記録媒体から、データを再生する情報再生装置であって、
前記ガイド層にトラッキング用の第１光ビームを照射し且つ集光することが可能であると共に前記複数の記録層のうち一の記録層にデータ再生用の第２光ビームを照射し且つ集光することが可能である光照射手段と、
前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出手段と、
前記取得されたガイド情報に基づき前記トラックに対して所定の帯域でトラッキングサーボをかけるように前記光照射手段を制御するトラッキングサーボ手段と、
前記検出されたパターン信号に基づいて前記光照射手段について特定種類の処理を施す処理手段と、
前記トラッキングサーボがかけられている際に前記処理が施された状態で、前記一の記録層からの前記照射され且つ集光された第２光ビームに基づく第２光を受光し、該受光された第２光に基づき前記データを取得するデータ取得手段と
を備えることを特徴とする情報再生装置。
【請求項１６】
ＣＬＶ方式の情報記録媒体であって、予めトラックが形成されており第１光ビームが集光されるガイド層と、該ガイド層上に積層されており前記第１光ビームよりも小径の第２光ビームが集光される複数の記録層とを備え、前記トラックには、前記記録層における前記第２光ビームにより情報が記録される領域に重なる部分を含めて、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、更に(ii)前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されており、前記複数のガイド領域は、(i)前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ(ii)前記複数のスロットのうち前記トラック方向に沿って並んでいる複数のスロットから各々構成される第一のグループ毎に、該第一のグループに含まれる一つのスロット内に配置されると共に該第一のグループに含まれる他のスロット内に配置されておらず、前記複数の信号検出領域は、前記トラックが前記トラック方向に区分されてなる一つ又は複数のスロットから夫々構成される第二のグループのスロット内に、配置されており、前記複数のスロットは前記記録層において前記トラック方向及び前記径方向の両方についての連続するスロット内に情報が記録される区分であり、前記トラック方向に並ぶ二つの前記第一のグループと前記第二のグループとを合わせた前記トラック方向の長さは、前記所定距離以下の配置間隔に対応しているところの情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、
前記ガイド層からの前記照射され且つ集光された第１光ビームに基づく第１光を受光し、該受光された第１光に基づき前記担持されたガイド情報を取得すると共に、前記受光された第１光に基づき、前記複数の信号検出用領域のうち対応する一つが後に来る旨を示す目印情報として機能する前記取得されたガイド情報により前記後に来る旨が示される前記複数の信号検出用領域の各々にて前記パターン信号を検出する取得・検出工程と、
前記取得されたガイド情報に基づき前記トラックに対して所定の帯域でトラッキングサーボをかけるように前記光照射手段を制御するトラッキングサーボ工程と、
前記検出されたパターン信号に基づいて前記光照射手段について特定種類の処理を施す処理工程と、
前記トラッキングサーボがかけられている際に前記処理が施された状態で、前記一の記録層からの前記照射され且つ集光された第２光ビームに基づく第２光を受光し、該受光された第２光に基づき前記データを取得するデータ取得工程と
を備えることを特徴とする情報再生方法。
【国際調査報告】
2011125160.tif 000036
2011125160.tif 000037
2011125160.tif 000038
2011125160.tif 000039